(57)【要約】【課題】基板ボックスを不法に取外そうとしたりこじ開けようとするとその痕跡が残るようにする。【解決手段】基板ボックス３０には周辺部から間隙をもって基板ボックス自体を封印する第１封印部３４（A）が設定され、周辺部には基板ボックスと可動ベース部の結合を封印する第２封印部３６（Ｂ、Ｅ）が設定されており、第１封印部は第２封印部との間の間隙を左右方向に横切る脆弱な連結部２２２ｃ、２２２ｄで周辺部と接続し、また周辺部の第２封印部が設定されていない領域との間の間隙にも上下方向に横切って接続する脆弱な連結部２２２ａ、２２２ｂ等が設けられている。第２封印部やその他の周辺部を抉った場合にその部位に近い脆弱な連結部のいずれかがせん断力を受けて切断するので、基板ボックスに対して不法なアクセスが行われた痕跡が残る。【選択図】図３
2010220644.tif 000002
【特許請求の範囲】
【請求項１】
制御基板を基板ボックスに収納した遊技機において、
基板ボックスには第１封印部が設定され、
該第１封印部は基板ボックスにおける周辺部から間隙をもって離間し、脆弱な連結部により前記周辺部と接続しており、
前記周辺部の変形により前記脆弱な連結部が切断するように構成したことを特徴とする遊技機。
【請求項２】
前記周辺部には第２封印部が設定されており、
前記脆弱な連結部は、前記第１封印部と第２封印部間の間隙に設けられて、当該間隙を横切る方向に延びていることを特徴とする請求項１に記載の遊技機。
【請求項３】
基板ボックスは、ベース部材を介して遊技機の筐体本体に設置され、互いに重ね合わせて制御基板の収納空間を形成する第１ケースと第２ケースとからなり、
前記第１封印部は、前記第１ケースと第２ケースの結合状態を封印し、
前記第２封印部は、基板ボックスと前記ベース部材の結合状態を封印するものであることを特徴とする請求項２に記載の遊技機。
【請求項４】
さらに、脆弱な連結部が、前記第２封印部が設定されていない領域と前記第１封印部間の間隙にも設けられ、当該間隙を横切る方向に延びていることを特徴とする請求項２または３に記載の遊技機。
【発明の詳細な説明】
【技術分野】
【０００１】
本発明は、スロットマシンその他の遊技機に関する。
【背景技術】
【０００２】
例えば遊技機のスロットマシンにおいては、筐体が、正面側に開口部をもつ箱形状の筐体本体と、その開口部を閉じ表側が演出表示面や操作レバー等を備える遊技面となっている前面扉とから構成される。前面扉には表示窓が設けられ、筐体本体内には表示窓から視認可能にリールが設置され、その駆動機構や電源等も筐体本体内に設置されている。さらに遊技内容や演出処理を電子的に制御する制御基板が、リール等とともに筐体本体内に設置される。
【０００３】
制御基板には遊技内容のプログラムや大当たりの発生条件等を規定するデータを記憶するメモリも実装されているため、そのメモリあるいは制御基板全部を交換したり、別途のメモリ追加や変更を加えることにより、大当たりを頻発させコインを大量に獲得するというような不正行為が問題となる。
このため、筐体本体側と協働して前面扉を閉鎖し施錠状態とする施錠機構が設けられているが、これだけでは不正行為の防止には不十分で、施錠状態を破って制御基板に不正な変更等を加える事例が頻発している。
【０００４】
そこで、制御基板に不正行為がなされた場合に、その痕跡が残るようにして、不正な変更等が加えられた制御基板は正規の制御基板に交換することができるようにした技術が提案されている。
例えば、特開２００４−８３７３号公報には、第１ケース（第１ボックス）と第２ケース（第２ボックス）を重ねて形成する基板ボックスに制御基板を収納して結合部材で封印する構造が開示されている。これを図２７に示す。
ここでは、第１ケース５０１と第２ケース５０２からなる基盤ボックスにおいて、（ｂ）に示すように、第２ケース５０２に第１ケース５０１との対向面側にのみ開口するカバー部５０５を一体に形成して、カバー部５０５内に第２固定部材５０６を不図示のネジで取り付けてある。そして、（ａ）に示すような第１ケース５０１に一体に形成した第１固定部材５０３をカバー部５０５に差し込むことにより、第１ケース５０１と第２ケース５０２をその間に制御基板を挟んだ形で結合する。
【０００５】
図２８の（ａ）は差し込み過程を示し、（ｂ）は結合完了状態を示す。第２固定部材５０６はフック５０７を備え、第１固定部材５０３は舌片状でフック５０７と係合可能なフック穴５０４（係り合い部）を備えている。そして、カバー部５０５内で第２固定部材５０６のフック５０７が第１固定部材５０３のフック穴５０４と係合した状態では、カバー部５０５の開口が第１ケース５０１で塞がれているので、係合部分は密閉される。
【０００６】
したがって、第１ケース５０１と第２ケース５０２の結合状態を解除して基板ボックス５００を開き、内部の制御基板に到達するためには、第１ケース５０１の第１固定部材５０３形成部分を破壊するか、第２ケース５０２のカバー部５０５を破壊するしかない。
これにより、基板ボックス５００が開かれた場合には必ず第１ケース５０１または第２ケース５０２のいずれかの封印部に破壊の痕跡が残ることとなるので、当該基板ボックス５００の制御基板に対して不正行為が行われたことを認識することができる。
【特許文献１】特開２００４−８３７３号公報
【発明の開示】
【発明が解決しようとする課題】
【０００７】
しかしながら、上記従来の収納構造では、１つの基板ボックスから第２ケース５０２の封印部であるカバー部５０５を破壊して、第１ケース５０１の方は破壊の痕跡のない状態で保留する一方で、他の基板ボックスから第１ケース５０１の封印部を破壊して第２ケース５０２を破壊の痕跡のない状態で確保することができる。
破壊の痕跡のない第１ケース５０１は設定どおりの第１固定部材５０３を備え、破壊の痕跡のない第２ケース５０２もカバー部５０５内に設定どおりの第２固定部材５０６を備えている。
この結果、いずれも封印部に破壊の痕跡のない第１ケース５０１と第２ケース５０２を用いて、内部に不正な変更を加えた制御基板を収納した新たな基板ボックスを作り上げることが可能で、これをスロットマシン筐体内の制御基板と基板ボックスごと取り換えれば、不正行為がなされたにもかかわらず、痕跡が得られないことになるおそれがある。
このため、先ずは、基板ボックスを開いて制御基板を取り替えるような不正が行われた場合には、これを容易に知ることができるように、いずれかのケースに必ず封印解除の痕跡を残さざるを得ないようにすることが望ましい。
しかしこのように破壊の痕跡を残さずに封印を解除して基板ボックスを開くことが困難となると、封印部以外の箇所をドライバなどで抉って基板ボックスに隙間をつくり、そこから制御基板に不正な変更を加えることが考えられる。
【０００８】
したがって本発明は、上記の問題に鑑み、封印部以外を攻撃して基板ボックス内部へ不正なアクセスが行われた場合にも当該封印部まわりにその痕跡が残るようにして、不正行為のあったことを容易に認識可能とした遊技機を提供することを目的とする。
【課題を解決するための手段】
【０００９】
本発明は、制御基板を基板ボックスに収納した遊技機において、基板ボックスには第１封印部が設定され、該第１封印部は基板ボックスにおける周辺部から間隙をもって離間し、脆弱な連結部により周辺部と接続しており、周辺部の変形により脆弱な連結部が切断するように構成したものとした。
【００１０】
上記周辺部には第２封印部が設定されており、脆弱な連結部は、第１封印部と第２封印部間の間隙に設けられて、当該間隙を横切る方向に延びていることが好ましい。
とくに基板ボックスは、ベース部材を介して遊技機の筐体本体に設置され、互いに重ね合わせて制御基板の収納空間を形成する第１ケースと第２ケースとからなるもので、第１封印部は、第１ケースと第２ケースの結合状態を封印し、第２封印部は、基板ボックスとベース部材の結合状態を封印するものとすることができる。
さらに、脆弱な連結部が、第２封印部が設定されていない領域と第１封印部間の間隙にも設けられ、当該間隙を横切る方向に延びていることが好ましい。
【発明の効果】
【００１１】
本発明によれば、第１封印部が脆弱な連結部により周辺部と接続され、周辺部の変形により脆弱な連結部がせん断力を受けて切断するので、基板ボックスに対して不法なアクセスが行われた痕跡が残る。これにより、高いセキュリティが得られる。
【図面の簡単な説明】
【００１２】
【図１】本発明が適用されるスロットマシンの全体斜視図である。
【図２】前面扉を取外して示すスロットマシン内部の正面図である。
【図３】主基板ユニットの正面図である。
【図４】主基板ユニットの側面図である。
【図５】台座装置の分解斜視図である。
【図６】固定ベース部の裏面を示す斜視図である。
【図７】回動軸部端部の構成を示す断面図である。
【図８】可動ベース部における窓孔まわりの構成を示す断面図である。
【図９】主制御装置の分解斜視図である。
【図１０】レール形成部の構成を示す図である。
【図１１】第１ボックスの裏面を示す斜視図である。
【図１２】第１封印部における第１ボックスの封印部材を示す図である。
【図１３】第１封印部における第２ボックスの封印部材を示す図である。
【図１４】封印ピンを示す図である。
【図１５】第１封印部の封印過程を示す図である。
【図１６】第１封印部の封印結合構造を示す図である。
【図１７】硬化樹脂の回り込み状況を示す説明図である。
【図１８】封印ピンのヘッド形状の変形例を示す図である。
【図１９】第２封印部における第１ボックスの封印部材を示す図である。
【図２０】第２封印部の封印ピンを示す図である。
【図２１】第１ピンを示す図である。
【図２２】第２ピンを示す図である。
【図２３】第２封印部の封印過程を示す図である。
【図２４】第３封印部における第１ボックスの封印部材を示す図である。
【図２５】第３封印部における第２ボックスの封印部材を示す図である。
【図２６】第３封印部の封印結合構造を示す図である。
【図２７】従来例の封印部材を示す図である。
【図２８】従来例における封印過程を示す図である。
【発明を実施するための形態】
【００１３】
次に本発明をスロットマシンに適用した実施の形態について説明する。
図１はスロットマシンの全体斜視図、図２は前面扉を取外して示す内部の正面図である。
スロットマシン１の筐体は、正面側が開口する箱形状の筐体本体２と、その開口部を閉じる前面扉３とから構成される。
筐体本体２は、天板２ａ、底板２ｂ、背板２ｃ、左側板２ｄ、右側板２ｅからなる。
前面扉３は、左端側の上下複数カ所がヒンジによって筐体本体２に取り付けられ、ヒンジを軸として水平に揺動し、筐体本体２の開口部を開閉可能となっている。
前面扉３の右端部には、筐体本体２側と協働して前面扉３を閉鎖し施錠状態とする施錠機構４が設けられている。
前面扉３の表側は、複数の表示窓６を備える遊技パネル５、コイン投入口７、各種の操作レバーやボタン、スイッチ類を備える操作部８、コイン受け皿９、その他の演出表示部１０などが設けられた公知の遊技面となっている。これらの詳細は、例えば特開２００８−６１７３９号公報に示される。
【００１４】
筐体本体２の内部は、仕切板２ｆによって上下に２分割されている。
仕切板２ｆの下部には、コインを貯留する貯留タンクとコインを前面扉３のコイン受け皿８へ払い出す払出装置とを備えたホッパ装置１１や、電源ボックス１２が配置されている。
前面扉３のコイン投入口７から投入されたコインはホッパ装置１１に供給され、貯留タンクに貯留されるか、あるいはコイン受け皿９へ排出されるようになっている。
仕切板２ｆの上部には、前面扉３の各表示窓６に対して１対１で対応させて横に並べたリール１４を同一軸線上で回転可能に支持したリールユニット１５が取り付けられている。
リールユニット１５の上方には、スロットマシンの制御を行う主基板ユニット２０が背板２ｃに取付けて設置されている。
【００１５】
以下、主基板ユニット２０の構成について詳細に説明する。
図３は主基板ユニットの正面図、図４は側面図、そして、図５は台座装置の分解斜視図である。
とくに指定しない限り、図３の状態を基準として図中の右側を主基板ユニット２０の右側、図中の左側を主基板ユニット２０の左側とし、図中の手前側を主基板ユニット２０の前側、図中の奥側を主基板ユニット２０の後側として説明する。
主基板ユニット２０は、主制御装置２２と、主制御装置を筐体本体２に支持する台座装置２５とを備えている。主制御装置２２により、遊技内容や演出処理が制御される。
【００１６】
台座装置２５は、筐体本体２の背板２ｃに固定される固定ベース部２６と、固定ベース部２６に支持されて水平に延びる回動中心軸線Ｚを中心として上下に回動し傾倒姿勢をとることが可能な可動ベース部２８とを備えている。
主制御装置２２は可動ベース部２８に保持され、図３、図４に示す保持位置から、回動中心軸線Ｚに直交してこれから離間する方向（上方）にスライドさせることにより、可動ベース部２８から取り外し可能となっている。
【００１７】
主制御装置２２は、後掲の図９に示すように、表裏一対の第１ボックス２００と第２ボックス３００によって構成される横長の矩形状の基板ボックス３０と、この基板ボックス３０内に収容される平板形状の主基板２３とからなっている。
第１ボックス２００と第２ボックス３００は透明または半透明の樹脂で形成される。
主制御装置２２を保持した可動ベース部２８を図４の（ａ）に示す起立姿勢にすることにより、基板ボックス３０が背板２ｃにそって平行になって、内部の主基板２３の表面が筐体本体２の正面側から視認可能となる一方、可動ベース部２８を図４の（ｂ）に示す傾倒姿勢にすることにより、基板ボックス３０も筐体本体２の正面側に傾倒して内部の主基板２３の裏面が視認可能となるように構成されている。
【００１８】
まず、台座装置２５の固定ベース部２６について、とくに図５を参照して説明する。
固定ベース部２６は金属板のプレス成形品で、横長矩形で平坦な底板部４０と、底板部４０の横幅方向（左右方向）両端から後方へオフセットした後に左右外方へ延びる取付フランジ部４２とを有する。
取付フランジ部４２は底板部４０の面と平行で、底板部４０の上下に亘って延びており、背板２ｃに取り付けるためのネジを挿通させる穴４３が形成されている。
【００１９】
底板部４０の横幅方向両端部の上部には、可動ベース部２８の上部を係止することにより可動ベース部２８を起立姿勢位置に保持するための姿勢保持部材５６が取り付けられている。
姿勢保持部材５６は可撓性を有する合成樹脂製で、底板部４０に形成した取付穴に後方から差し込まれて底板部４０の前方へ延び、先端に爪５７を備えている。
【００２０】
底板部４０には、その上端から矩形状に切り欠かれた切欠部４４が形成されている。切欠部４４は姿勢保持部材５６の取り付け位置まで、ほぼ底板部４０の左右方向全幅にわたって延びている。
底板部４０の下部で横幅方向中央にも、後述する可動ベース部２８の裏面から突出する封止ブロック部１００を受け入れる矩形の切欠部６０が形成されている。
【００２１】
図６は固定ベース部２６を背面から見た斜視図である。
切欠部４４の水平な下辺からは、その全幅にわたって、後方へオフセットした後底板部４０の裏面側へ折り返された取付フランジ部４６が延びており、この取付フランジ部４６も背板２ｃへの取り付け部となっている。４７は取付フランジ部４６を背板２ｃに取り付けるためのネジを挿通させる穴である。
取付フランジ部４２と取付フランジ部４６の各オフセット量は同一とされ、取付フランジ部４２と取付フランジ部４６とで固定ベース部２６を背板２ｃに取り付けたとき、底板部４０は背板２ｃと平行になる。
【００２２】
さらに、底板部４０の下部裏面には、金属板のプレス成形品からなる取付フレーム部材４８が取り付けられている。
取付フレーム部材４８は、固定ベース部２６を筐体２の背板２ｃに固定した場合に、底板部４０と背板２ｃとの間に形成される空間部分の一部を埋めるもので、底板部４０から後方へオフセットして取付フランジ部４２および取付フランジ部４６と面一の矩形状の取付面部５０を有する。
後方から見たとき、取付フレーム部材４８は底板部４０の切欠部６０をカバーしている。
【００２３】
取付面部５０の上下左右の各辺からはそれぞれの辺の略全長にわたる脚片５２が底板部４０へ向かって延び、その先端は底板部４０と平行に外方へ折り曲げられた接合部５４（５４ａ、５４ｂ）となって底板部４０に溶接結合されている。
取付面部５０の上辺から延びた脚片の接合部５４ａは、その先端がさらに後方へ折り曲げられて、取付フレーム部材４８自体および底板部４０の剛性を高めている。
【００２４】
取付面部５０の下辺から延びた脚片の接合部５４ｂは、底板部４０の下端まで延びてから先端が後方へ折り曲げられ、底板部４０の下端部と背板２ｃとの間に形成される開口部分を塞ぐ下蓋部５５を形成している。
なお、固定ベース部２６は底板部４０の上端部を筐体本体２の天板２ａに当接させた状態で背板２ｃに固定されるので、底板部４０の上端部と背板２ｃとの間に形成される開口部分は天板２ａによって塞がれるが、必要に応じて底板部４０の上端部にも上蓋部を設けることができる。
【００２５】
取付面部５０の左右両側に離れた２カ所には背板２ｃに固定するためのネジを挿通させる穴６２が設けられている。穴６２は可動ベース部２８の窓孔１０７に対応させてあり、その高さ位置は、可動ベース部２８の回動中心軸線Ｚの近傍となる取付面部５０の下辺寄りとなっている。
【００２６】
図５に戻って、底板部４０の下端は前方へ折り曲げられて、可動ベース部２８を支持するための水平に延びる支持フランジ部６５が形成されている。
支持フランジ部６５はその前縁を上方へ折り曲げてカバーフランジ６７とし、これにより樋状をなしている。支持フランジ部６５の左右両端は、上方に折り曲げられて互いに対向する軸支板部７０、７１となっている。
軸支板部７０、７１は底板部４０の上部に取付けられた左右の姿勢保持部材５６のそれぞれ下方に対応する位置に設定されている。
【００２７】
各軸支板部７０、７１には、互いに同一軸線（回動中心軸線Ｚ）上に位置させた軸孔７３が設けられている.。
右側の軸支板部７１には、さらに軸孔７３よりも上方でかつ前方に錠取付穴７５が形成されている。
カバーフランジ６７の左右両端の軸支板部隣接部分は、可動ベース部２８を傾倒させたときその当接部８７と当接する回動ストッパ６８となり、当接したとき可動ベース部２８が所定の傾倒姿勢位置となるように、一段低く切り欠かれている。
【００２８】
支持フランジ部６５の前後方向幅は、可動ベース部２８の下端部の前後方向幅寸法と整合させて、可動ベース部２８を固定ベース部２６に支持した状態で、可動ベース部２８の後述する回動軸部８６とカバーフランジ６７との間に形成される隙間を最小限にしている。
支持フランジ部６５のカバーフランジ６７の高さは、軸孔７３の中心高さよりも高く、回動軸部８６を前方から覆い隠すように設定されている。
これにより、回動軸部８６とカバーフランジ６７との間隙に、バールやスクリュードライバーなどの工具の先端が差し込まれるのを困難にし、回動軸部８６の破壊行為を防ぐ。
【００２９】
つぎに、可動ベース部２８について説明する。
可動ベース部２８は、所定の剛性を有する例えばポリカーボネイトなどの透明な合成樹脂製で、図５に示すように、横長矩形の底板部８０と、底板部８０の下端から表面側（前方）に向かって延びる載置部８２と、底板部８０の左右両端からそれぞれ表面側に向かって延びる側板部８４、８５とを有している。
載置部８２には、後述するように主制御装置２２（基板ボックス３０）を載置する。
載置部８２の前端下面には、円柱形状の回動軸部８６が一体に形成されている。回動軸部８６は側板部８４、８５の間にわたって左右に延びている。
【００３０】
回動軸部８６の左右両端には当該回動軸部の軸心にそって軸孔８８（後掲の図７参照）が形成されている。
載置部８２および回動軸部８６には、側板部８４、８５から内方へ所定距離だけ離間した位置に、軸孔８８の軸心に直交してスリット溝９０が設けられている。後述するように、軸孔８８はスリット溝９０を越えて内側まで延びている。
また、回動軸部８６の両端には、固定ベース部２６の回動ストッパ６８に対応させて、回動軸部８６の径方向外方に延びる当接部８７が設けられ、前述のように、可動ベース部２８を傾倒姿勢位置まで傾倒させた際に、回動ストッパ６８に当接するようになっている。
【００３１】
底板部８０の下端で横幅（左右）方向中央には封止ブロック部１００が形成されている。封止ブロック部１００は、大きくは横幅方向中央と、その左右両側の３つに区画され、左右の区画１００ａは載置部８２上に突出している。また、封止ブロック部１００はその３区画全体にわたって底板部８０の裏面側にも突出している。
左右の区画１００ａはさらにそれぞれ載置部８２上の前壁１０２と底板部８０裏面側の後壁１０３（後掲の図２３参照）との間に空間を形成しており、後述する基板ボックス３０の筒状体４３０に対応して横方向に２室に区画されている。こうして形成された封止ブロック部１００の左右４つの室はそれぞれ下端に開口している。
【００３２】
封止ブロック部１００の載置部８２上に突出した前壁１０２には、後述の封印ピン４３０が挿入される係止孔１０４が設けられている。係止孔１０４は上下に切欠き１０５を有している。
底板部８０には、封止ブロック部１００から左右に所定距離離間させて、矩形の窓穴１０７が形成されている。
底板部８０の裏面には、後掲の図８に示すように、窓穴１０７の上側にネジブロック１０８が形成され、ネジブロック１０８の下端を窓穴１０７の上辺に一致させてある。ネジブロック１０８はその下端面に開口するネジ孔１０９を備えている。
図５に戻って、載置部８２には、横幅方向中央で封止ブロック部１００の前方に、左右に長いスリット穴１１０が形成されている。
【００３３】
側板部８４、８５は、載置部８２と略同一の前後幅で底板部８０の全高さにわたって延びている。
各側板部８４、８５の前端には、上端および下端の一部を除いて所定の横幅（左右方向幅）の返し部１１２が内側に向かって延びており、また側板部８４、８５と底板部８０の接続部には返し部１１２と同一の横幅をもった突条段部１１３が上下に延びている。
これにより、各側板部８４、８５の内壁には返し部１１２と突条段部１１３の間に、主制御装置の基板ボックスをスライドさせる際の一定前後幅のガイド溝１１４が形成される。
側板部８５の上下方向略中央位置には、返し部１１２上から前方へ突出したあと内方（左方）へ延びる固定ブラケット部１１８が設けられ、底板部８０に向かって垂直方向にネジを挿通させる穴１１９が形成されている。
【００３４】
底板部８０の上端部には、横幅（左右方向）中央に、可動ベース部２８に保持された主制御装置２２を係止するための係止部１２０が設けられている。
係止部１２０は主制御装置を可動ベース部２８に装着した際に、基板ボックス３０に設けられた不図示の突起部と係合し、また弾性変形させることにより係合を解くことができるようになっている。
底板部８０上端には係止部１２０を挟む左右両側に、基板ボックス３０の上端部に設けられた後述のスリット溝に係止するため、上方へ延びる突出片１２２が形成されている。
【００３５】
図７は、回動軸部端部の構成を示す断面図である。
各側板部８４、８５の下端部には、回動軸部８６の端面との間にスリット１２６を形成するボス板部１２４、１２５が設けられている。スリット１２６は回動中心軸線Ｚに直交し、このスリット１２６に固定ベース部２６の軸支板部７０、７１が挿入される。
各ボス板部１２４、１２５には、軸孔１２７が回動軸部８６の軸孔８８と同軸上に形成されている。
支持ピン１２８をボス板部１２４の軸孔１２７から、軸支板部７０の軸孔７３を通して、回動軸部８６の軸孔８８に挿入し、また支持ピン１２８をボス板部１２５の軸孔１２７から、軸支板部７１の軸孔７３を通して回動軸部８６の軸孔８８に挿入することにより、可動ベース部２８は固定ベース部２６に対して回動自在に支持される。
【００３６】
この際、支持ピン１２８はボス板部１２４、１２５の軸孔１２７と回動軸部８６の軸孔８８については圧入とされるとともに、支持ピン１２８の頭部はボス板部１２４、１２５の外側端面に形成した凹部１２９内に位置して外側端面から突出しないように設定され、取り付け後の支持ピン１２８の取り外しができないようになっている。
【００３７】
図５に戻って、載置部８２の上面には金属板の補強プレート１３０が取り付けられる。補強プレート１３０は、載置部８２の左右のスリット溝９０の間にわたる長さを有して載置部８２の上面に重ね合わされる平板部１３２と、平板部１３２の後端から上方に延びて底板部８０の表面に重ね合わされる縦壁１３４と、平板部１３２の左右両端から下方に延びてスリット溝９０に差し込まれる軸支板部１３６とを備える。
軸支板部１３６には、スリット溝９０に差し込まれた状態で回動軸部８６の軸孔８８と同軸上に位置する孔１３７が設けられ、孔１３７は軸孔８８と同径である。
【００３８】
なお、底板部８０の前面は補強プレート１３０に対応する領域１１６が補強プレートの板厚分だけ窪んでおり、底板部８０の表面が補強プレート１３０とその周辺を含めて平滑な一平面をなすようになっている。
補強プレート１３０の平板部１３２には、載置部８２のスリット穴１１０と整合するスリット穴１３８が形成され、縦壁１３４には、封止ブロック部１００に整合する切欠穴１４０が形成されるとともに、底板部８０の窓穴１０７にそれぞれ重なる位置に矩形の窓穴１４２が形成されている。
【００３９】
図８は窓穴部における補強プレートと底板部の固定構造を示す図である。
補強プレート１３０の窓穴１４２を形成する際の切り起こし片は、当該窓穴１４２の上辺から後方へ曲げられてブラケット部１４４となっている。ブラケット部１４４は、底板部８０の窓穴１０７を通過してネジブロック１０８の下端面に重なる。
ブラケット部１４４に形成された挿通孔１４５を通して、固定ネジを下方からネジブロック１０８のネジ孔１０９にねじ込むことにより、補強プレート１３０が可動ベース部２８に固定される。
この補強プレート１３０により、可動ベース部２８の剛性が高まるので、後述する第２封印部を抉るなどの試みが行われても、可動ベース部２８が保持している基板ボックス３０の撓みが抑えられ、不正行為を困難とする。
【００４０】
図５、図７に示すように、側板部８５の下端部とボス板部１２５には同軸の錠取付穴８９が形成されている。錠取付穴８９の位置は、可動ベース部２８を起立姿勢位置にしたとき、固定ベース部２６の錠取付穴７５と重なるよう設定され、例えば南京錠などを取り付けることによって、可動ベース部２８の人為的な傾倒を禁止できる。
【００４１】
以上の構成を有する台座装置２５は、まず、固定ベース部２６の表面側から取付フランジ部４２の穴４３に取付ネジを挿通して、筐体本体２の背板２ｃ内側の対応する箇所に予め設けられているナット部にねじ込む。
さらに、可動ベース部２８を起立姿勢位置とした状態で、可動ベース部の補強プレート１３０の窓穴１４２と底板部８０の窓孔１０７とを通して取付フレーム部材４８の穴６２に取付ネジを挿通して、筐体本体２の背板２ｃ内側の対応する箇所に予め設けられているナット部にねじ込むことにより、背板２ｃに固定される。
また、背板２ｃに予め形成された挿通孔に、外部からネジを挿入し取付フランジ部４６の穴４７に設けられたナットにねじ込む。
これにより、固定ベース部２６は、背板２ｃに対して前方および後方の両方から固定されるので、前方または後方の一方からのみでは背板２ｃから取り外すことができない。
【００４２】
とくに基板ボックス３０を可動ベース部２８に保持した状態では、可動ベース部の窓孔１０７、１４２が基板ボックス３０によって塞がれるので、可動ベース部２８の前方からこれらの窓孔にスクリュードライバの先端を差し込むこともできない。
また、取付フレーム部材４８の穴６２は、回動中心軸線Ｚの近傍であるから、可動ベース部２８を傾倒姿勢とした場合でも、スクリュードライバの先端を差し込むことができない。
【００４３】
次に、主制御装置２２の構成について説明する。
図９は主制御装置２２の分解斜視図である。
基板ボックス３０は表側の第１ボックス２００と裏側の第２ボックス３００とからなっている。
主基板２３は、対角線上に位置する隅角部に設けられた一対の小孔２４を通して不図示のネジにより第１ボックス２００の内側に取り付けられる。主基板２３上には、図示しない配線パターンが形成されるとともに、ＣＰＵやＲＯＭ等のＩＣチップを含む各種電子部品、ソケット等が実装されている。
【００４４】
第１ボックス２００は、主基板２３上の比較的背の高い電子部品等を収容可能とする主基板収容部２０１を有しており、その周縁部には、一段低い段部２０２が形成されている。
段部２０２には、主基板上のソケットを挿通させるための複数のソケット挿通孔２０３が形成されている。
主基板収容部２０１の表面には、封印履歴記録シートを貼付するための貼付枠２０４が設定されている。
【００４５】
第１ボックス２００の右端には、上下方向略中央に固定面２０５が形成されている。固定面２０５は、基板ボックス２００を可動ベース部２８に載置したとき、可動ベース部２８の固定ブラケット部１１８の裏面に重なるように設定され、基板ボックス２００を可動ベース部２８に固定するためのネジ孔２０６を備えている。
固定面２０５の内側（左方）には段差をもって平面部２０７が隣接し、基板ボックス２００を可動ベース部２８に固定したときに、固定ブラケット部１１８の表面と面一に連続するようになっている。
平面部２０７と固定ブラケット部１１８の表面は協働して封印シール（図示せず）のシール貼付面を形成する。すなわち、封印シールを平面部２０７と固定ブラケット部１１８の両者にまたがって貼付することにより、一旦剥がされるとシール貼付面に剥がされた形跡を残す。
【００４６】
第１ボックス２００の左右両端の側壁２１０には、上下方向全高さにわたって外方へ突出するレール形成部２１１が設けられている。
第２ボックス３００は、第１ボックス２００に取り付けられた主基板２３の裏面に対向する底板部３０１を有している。底板部３０１の内面には格子状のリブ３０２が設けられて剛性を高めている。底板部３０１の左右両端の側壁３１０には、上下方向全高さにわたって外方へ突出するレール形成部３１１が設けられている。
【００４７】
図１０は第１ボックス２００と第２ボックス３００のレール形成部を示す図である。
（ａ）はレール形成部２１１の側面図、（ｂ）は（ａ）におけるＡ−Ａ部拡大断面図、（ｃ）はレール形成部３１１の側面図、（ｄ）は（ｃ）におけるＢ−Ｂ部拡大断面図、そして（ｅ）は結合状態を示す断面図である。
レール形成部２１１には、側壁２１０の後端縁から外方に起立して、上下方向に延びる複数のリブ２１１ｂが上下に一列に並ぶように設けられ、各リブの上端から後方へ延びる片とその後端から上方へ延びる片とからなるＬ字状の複数の引掛部２１２が形成されている。
また、これらの引掛部２１２に接続して、引掛部２１２の外側に側壁２１０の上下方向全高さにわたる一定幅の帯板部２１１ａが側壁２１０と平行に形成されている。
【００４８】
レール形成部３１１には、側壁３１０から外方に起立して、基板高さ方向（前後方向）に延びる片とその前端から側壁３１０の前縁に沿って下方へ延びる片とからなるＬ字状の複数の引掛部３１２が所定間隔をおいて上下に一列に並ぶように設けられている。
また、側壁３１０から外方に起立して、上下方向全高さにわたる一定幅の縦壁部３１１ａが形成され、この縦壁部３１１ａは、引掛部３１２の前後方向に延びる片の後端をつないでいる。
【００４９】
第１ボックス２００と第２ボックス３００はこれら複数の引掛部２１２と引掛部３１２との係合により結合して、中空箱状の基板ボックス３０を形成する。
すなわち、第２ボックス３００を第１ボックス２００の裏面に対して上方に所定量ずらせた位置で、第２ボックスの引掛部３１２を第１ボックスの引掛部２１２の間に置いて第１ボックスと第２ボックスを重ね合わせ、それから第２ボックス３００を第１ボックス２００に対して相対的に下方へスライドさせることによって引掛部２１２と引掛部３１２が互いに係合する。
【００５０】
とくに図１０の（ｅ）に示すように、第１ボックス２００と第２ボックス３００の結合状態において、帯板部２１１ａの後端縁は縦壁部３１１ａに当接するとともに、縦壁部３１１ａの外方端縁は帯板部２１１ａの外面と面一になるように設定されている。
これにより、第１ボックスのレール形成部２１１と第２ボックスのレール形成部３１１とは協働して、基板ボックスの上下方向に延びるレール３２を形成する。    
【００５１】
図９に戻って、第１ボックス２００の上端壁２０９上の後部には、左右方向全幅にわたって延びる対向壁２１３が設けられるとともに、対向壁２１３の後方（第２ボックス側）に、対向壁２１３と平行な複数の係合突片２１４が左右方向一列に並んで設けられている。
第１ボックス２００と第２ボックス３００の結合状態において、第２ボックス３００の上端壁３０８は第１ボックス２００の上端壁２０９の上に重なるとともに、上端壁３０８の前端面３０８ａが左右方向全幅にわたって第１ボックス２００の対向壁２１３との当接面となるように設定されている。
さらに、第２ボックス３００の上端壁３０８には、前端面３０８ａの直後に、第１ボックス２００を第２ボックス３００との結合位置へスライドさせたときに第１ボックスの係合突片２１４を受け入れる係合穴３１６が形成されている。
【００５２】
第１ボックス２００の下端部には、後述する角孔部２４１と切欠部２２１の間に、第１ボックス２００の裏面（第２ボックス側）に開口したネジ孔２１６（図３参照）を備える連結固定部２１５が設定されている。
図１１に示すように、第１ボックス２００の裏面には、連結固定部２１５を区画し上方へ開口する所定高さの囲み壁２１７が設けられている。
そして、第２ボックス３００には、図９に示すように、第１ボックス２００の連結固定部２１５に対応して矩形の固定ブロック３０４が設けられている。
固定ブロック３０４は、第１ボックスと第２ボックスの結合状態において、第１ボックスの連結固定部２１５のネジ孔２１６に対応する穴３０５を有しており、この穴３０５からネジをネジ孔２１６にねじ込むことにより、第１ボックス２００と第２ボックス３００とが固定される。
【００５３】
第２ボックス３００の裏面（外面）には上端壁３０８から下方に延びる形で、底板部３０１の裏面との間にスリット溝３１８を形成する係合ブロック３１７が左右方向に複数設けられている。
スリット溝３１８には、基板ボックス３０を可動ベース部２８に保持したときに、可動ベース部２８の突出片１２２が挿入されて係止する。
【００５４】
第１ボックス２００の下端壁には、左右方向中央に、下方に向いた突出片２１８が設けられている。
突出片２１８は第１ボックス２００の横幅の略１／３強の長さを有して左右に延びており、基板ボックス３０を可動ベース部２８に保持したときに、可動ベース部の載置部８２および補強プレート１３０のスリット穴１１０、１３８に挿入されて係止する。
【００５５】
図３に示すように、基板ボックス３０の下端部には、左右に離間した位置に第１封印部３４と、左右方向中央に設けられた第３封印部３８と、第３封印部の左右に隣接した第２封印部３６とが並んでいる。当該部位にはＡ〜Ｆの符号が付せられている。
第１封印部３４（Ａ、Ａ）と第３封印部３８（Ｆ）は第１ボックス２００と第２ボックス３００を封印結合するもので、第２封印部３６（Ｂ、Ｃ、Ｄ、Ｅ）は基板ボックス３０を可動ベース部２８に封印結合するためのものである。
【００５６】
図９において、第１ボックス２００には、第１封印部３４を形成するため、左右に離間した位置の切欠部２２１に封印部材２２０が設けられている。
また、第２封印部３６と第３封印部３８を形成するため、左右方向中央に１列に並んだ角孔部２４１、２６１にそれぞれ封印部材（筒状体２４０、２６０）が設けられている。列中央の角孔部２６１が第３封印部用、その両側の角孔部２４１が第２封印部用である。
第１ボックス２００の裏面には列中央の角孔部２６１の左右幅を画する所定高さの隔壁２６１ａ（図１１参照）が設けられている。
【００５７】
第２ボックス３００の下端の左右に離間した位置には、第１ボックス２００の切欠部２２１に対応して封印部材３２０を備える切欠部３２１が設けられている。
第２ボックス３００の下端の左右方向中央には矩形ブロック３４１が設けられ、矩形ブロック３４１は封印部材を備えて、第１ボックス２００の角孔部２６１と協働して第３封印部３８を形成する。
【００５８】
矩形ブロック３４１と左右の固定ブロック３０４の間は、第１ボックス２００の角孔部２４１に対応させたカバー板部３３４となっている。
カバー板部３３４は可動ベース部２８の封止ブロック部１００に対応させて  底板部３０１の裏面よりも前方へオフセットさせてあり、基板ボックス３０を可動ベース部２８に載置したときに、封止ブロック部１００の前壁１０２の表面とカバー板部３３４の裏面とが面で接するように設定されている。
【００５９】
カバー板部３３４と固定ブロック３０４との間、およびカバー板部３３４と矩形ブロック３４１との間には、スリット３３６が形成され、第１ボックス２００の固定部２１５裏面に設けた囲み壁２１７と、角孔部２６１裏面の左右に設けた隔壁２６１ａとがこれらのスリット３３６に進入可能となっている。これにより、基板ボックス３０の組立時に第１ボックス２００と第２ボックス３００のスライドを許す。
また、第１ボックス２００と第２ボックス３００が結合した状態では、固定部２１５と固定ブロック３０４の合わせ面が囲み壁２１７でカバーされ、角孔部２４１と矩形ブロック３４１の合わせ面が隔壁２６１ａでカバーされる。
【００６０】
つぎに、封印結合構造について説明する。
まず、最外側の第１ボックス２００の切欠部２２１と第２ボックス３００の切欠部３２１との合わせ部に形成される第１封印部３４の封印結合構造を説明する。
図１２は第１ボックスの切欠部２２１における封印部材２２０の構造を示し、（ａ）は正面図、（ｂ）は（ａ）におけるＣ−Ｃ部断面図、（ｃ）は（ａ）におけるＤ−Ｄ部断面図、（ｄ）は裏面図、（ｅ）は（ｄ）におけるＥ−Ｅ部断面矢視図である。
切欠部２２１は、上壁２２１ａおよび側壁２２１ｂ、２２１ｃによって封印部材２２０に対する周辺部を画しており、下端が開放されている。
封印部材２２０は、切欠部２２１の上壁２２１ａおよび側壁２２１ｂ、２２１ｃとの間に間隙をおいて設けられた矩形の主板２２５を備え、主板２２５は、第１ボックス２００の表面から後退した位置に配置されて、上記間隙を横切る脆弱な連結部２２２（２２２ａ〜２２２ｄ）により上壁および側壁と接続している。すなわち、上壁２２１ａとの間には２本の連結部２２２ａ、２２２ｂが上下方向に、左右の側壁２２１ｃ、２２１ｄとの間には各１本ずつの連結部２２２ｃおよび２２２ｄが左右方向に設けられている。
【００６１】
ここで脆弱な連結部とは、その断面の幅が小さくあるいは薄板状に形成されて、当該連結部が接続する両側の部材よりも低強度に設定され、所定のせん断力で、あるいはニッパなどの工具で切断して封印結合構造部を第１ボックス２００あるいは第２ボックス３００から切除できる特性としてあることを意味する。以下、同じである。
【００６２】
主板２２５には後述する封印ピン４００のヘッドに対応させた上円下方形状の孔２２６が設けられている。そして主板２２５の表面には、孔２２６の周囲に閉じた囲み壁２２７が前方に突出して設けられている。孔２２６の主板表面側開口面は一般表面よりも後退している。これにより、囲み壁２２７の内側は一般表面よりも深い凹部となっている。
囲み壁２２７の内壁は先端（前方）へいくほど開口が広くなるように傾斜しており、内壁の根元の径は封印ピン４００の後述する突片４０４の先端を包む包絡線の回りに所定の間隙が確保される程度に大きく設定されている。
主板２２５の孔２２６のサイズは、封印ピンの後述する基部４０３よりも大きく設定されている。
【００６３】
主板２２５の裏面には、ポケット部２２８が設けられ、ポケット部２２８のさらに裏面には袋部２２９が設けられている。これらの主板２２５、囲み壁２２７、ポケット部２２８および袋部２２９は一体に成形されている。
袋部２２９には主板２２５の孔２２６と対応する孔２３１が形成されている。
孔２３１は後述する封印ピン４００の軸部４０２と整合する丸孔で、孔２３１の後方は閉じている。
ポケット部２２８は、上端が開口して後述する係止片３２６を受け入れるとともに孔２２６と２３１の間を横切る係止片受け部２２８ａと、係止片受け部２２８ａと袋部の孔２３１をつなぐ孔２３０を有している。
【００６４】
孔２３０、２３１の軸心は、主板２２５の孔２２６の上円部分の円中心上に一致させてある。
ポケット部２２８の孔２３０の径は袋部２２９の孔２３１よりも所定量大きく、後述する封印ピン４００における弾性部４０７の係止爪４０８を収容できるように設定されている。
ポケット部２２８および袋部２２９の上端は主板２２５の孔２２６の孔縁上端よりも上方に位置する水平な平坦面２２９ａとなっている。
【００６５】
図１３は第２ボックス３００の切欠部３２１の構造を示し、（ａ）は正面図、（ｂ）は（ａ）におけるＦ−Ｆ部断面図、（ｃ）は下面図である。
切欠部３２１は下端が開放されている。
封印部材３２０は、切欠部３２１の上壁３２１ａおよび側壁３２１ｂ、３２１ｃとの間に間隙をおいて設けられたブロック部３２５を備え、ブロック部３２５は上記間隙を横切る２本の脆弱な連結部３２２（３２２ａ、３２２ｂ）により上壁３２１ａと接続している。
【００６６】
ブロック部３２５の下端面の外形輪郭は、第１ボックス２００のポケット部２２８と袋部２２９の平坦な上端面と整合する形状を有している。
ブロック部３２５の下端からは、ポケット部２２８に差し込まれる矩形の係止片３２６が、ブロック部３２５の前面３２８と面一に下方に延びている。
係止片３２６には、ポケット部２２８に挿入されたときに袋部２２９の孔２３１と孔軸を整合するよう、孔２３１と同径の孔３２７が設けられている。
【００６７】
これら第１ボックス２００の封印部材２２０と第２ボックス３００の封印部材３２０は、図１４に示す封印ピン４００により結合されて基板ボックス３０を封印する第１の封印結合構造を形成する。
図１４の（ａ）は封印ピンを前方から見た斜視図、（ｂ）は後方から見た斜視図、（ｃ）は正面図、（ｄ）は縦断面図、（ｅ）は（ｄ）におけるＧ−Ｇ断面図、（ｆ）は後面図である。
封印ピン４００は、ＰＡ、ＰＰ、ＰＯＭ、ＰＣあるいはＡＢＳ等の樹脂製で、ヘッド４０１と軸部４０２からなる。
ヘッド４０１は、軸部４０２の軸心を中心とする半円の第１領域Ｒ１と軸部４０２に対して垂直方向に半円の半径よりも長く延ばした方形形状の第２領域Ｒ２とを有する基部４０３と、基部４０３から延びる複数の突片４０４とからなっている。
【００６８】
突片４０４は第１領域Ｒ１からは放射状に延び、第２領域Ｒ２からは方形の幅方向に張り出しており、各突片４０４の先端を包む包絡線が全体として上円下方形状をなすようになっている。
第２領域Ｒ２の方形形状部分の裏面（軸部側）には凹部４０５が形成されている。
突片４０４は基部４０３の軸方向厚さよりも薄く、根元部分は基部４０３の先端面と面一に形成されている。突片４０４の先端部の前面は後方へ傾斜して、最先端は根元部分よりもさらに薄くなっている。この突片４０４は基部４０３に対して外力に弱い脆弱部となっている。
【００６９】
基部４０３には隣接する突片４０４、４０４の間に切欠部４０６が設けられ、切欠部４０６は基部４０３の前端側が切欠き量の大きい段差形状となっている。なお、図１４において、仮想線は基部４０３の切欠き前の基本形状を示している。
基部４０３に続く軸部４０２は、ヘッド４０１側が閉じた円筒形状で、弾性部４０７を備えている。弾性部４０７は軸部４０２の筒壁に形成したコ字形状のスリットに囲まれて、基部４０３側を根元として後方へ延びる片形状をなし、先端に外方（左右方向）へ突出する係止爪４０８を有している。
係止爪４０８は前端を軸方向に垂直で基部４０３に対向する係止面４１０とし、その後部外面は軸部４０３と同軸のコーン形状をなして、先端が軸部の径まで縮径する傾斜面４０９としている。
【００７０】
図１５は封印過程を示す図で、（ａ）は第１ボックス２００と第２ボックス３００の結合前の状態、（ｂ）は結合時の状態を示す。
第１封印部３４においては、図１５の（ａ）に矢示で示すように、第１ボックス２００と第２ボックス３００を互いにスライドさせて結合する際に、第２ボックス３００のブロック部３２５から延びる係止片３２６が、第１ボックス２００側のポケット部２２８の係止片受け部２２８ａに差し込まれる。
係止片３２６はブロック部３２５の前面３２８と面一に延び、主板２２５の裏面上を滑る。一方、係止片受け部２２８ａはその開口の一辺を主板２２５の裏面上に有しているから、係止片３２６はスライドの間何ら引っ掛かることなく係止片受け部２２８ａに進入できる。
【００７１】
ブロック部３２５の下端面がポケット部２２８と袋部２２９の上端面に当接するまで係止片３２６が差し込まれると、図１５の（ｂ）に示すように、主板２２５、係止片３２６、ポケット部２２８および袋部２２９の各孔２２６、３２７、２３０、２３１が整合して一直線に並ぶ。
この状態において、（ｂ）に矢示で示すように、前方（第１ボックス２００の表面側）から主板２２５および係止片３２６の各孔２２６、３２７を貫通して、封印ピン４００が袋部２２９の孔２３１まで挿入される。封印ピン４００のヘッド４０１の形状が上円下方の異型であるため、囲み壁２２７の形状に合わせて位置決めすることができ、挿入作業は容易である。
この挿入の際、囲み壁２２７の内壁は根元が封印ピン４００の突片４０４の包絡線よりも広く、さらに先端開口が広くなるように傾斜しているので、封印ピン４００の突片４０４が脆弱でも周辺部材と接触して破損するおそれはない。
【００７２】
図１６は封印ピン４００が挿入されて第１ボックス２００の封印部材２２０と第２ボックス３００の封印部材３２０とが結合された封印結合構造を示す。（ａ）は図１５と同方向の断面図、（ｂ）は（ａ）におけるＨ−Ｈ部断面図である。
封印ピン４００の弾性部４０７は軸心方向に変形して係止片３２６の孔３２７を通過し、ヘッド４０１の突片４０４が主板２２５の孔２２６開口面に接するまで挿入されると、復元して弾性部４０７の係止爪４０８が係止片３２６の裏面に係止する。
なお、突片４０４が孔２２６の開口面に当接したとき、封印ピン４００の基部４０３の後端面は係止片３２６の前面に接するように、設定されている。
【００７３】
このあと、封印ピン４００のヘッド４０１をカバーするように、硬化樹脂Ｐを囲み壁２２７内に充填する。硬化樹脂Ｐは、紫外線など光の照射により硬化する樹脂、加熱により硬化する樹脂あるいは空気中での時間経過により硬化する樹脂から選択するが、非可逆性の硬化樹脂が好ましい。
係止片３２６とブロック部３２５は前面が面一となっているので、主板２２５の裏面と面で接しているので、ガタのない高い結合剛性を得ている。また、ブロック部３２５の下端も第１ボックス２００のポケット部２２８と袋部２２９の上端と整合する外形輪郭の平坦面３２５ａとなっているので、ポケット部２２８と袋部２２９の上端面に接した状態となる。
したがって、突片４０４が主板２２５の表面に着座している封印ピン４００のヘッド４０１は、囲み壁２２７内に充填された硬化樹脂Ｐが硬化することにより、ヘッド４０１と主板２２５および硬化樹脂Ｐが強固な接着状態となる。
【００７４】
この封印結合構造では、第１ボックス２００の封印部材２２０におけるポケット部２２８および袋部２２９は下端が閉じ、またポケット部の係止片受け部２２８ａが開口する上端は封印部材３２０のブロック部３２５が重なって閉じているため、封印ピン４００の係止爪４０８が係止片３２６に係止している部分は外部から遮断された袋構造となっている。
このため、下方から係止部分の封印ピン４００に到達することができないし、後方からも袋部２２９の孔２３１が閉じているので、封印ピン４００に到達することができない。
【００７５】
さらに、第１ボックス２００のポケット部２２８および袋部２２９の上端（平坦面２２９ａ）と第２ボックス３００のブロック部３２５の下端（平坦面３２５ａ）との合わせ面にドライバなどを差し込んで、こじ開けて封印ピン４００に到達しようとしても、当該合わせ面上に封印ピン４００（したがって係止爪４０８）は存在しない。したがって、その係止爪４０８に外力を及ぼすこともできない上、ブロック部３２５から合わせ面に垂直に延びる係止片３２６が封印ピン４００によって第１ボックス２００のポケット部２２８に保持されているので、袋部２２９とブロック部３２５間の合わせ面を拡げること自体が困難である。
【００７６】
このため、第１ボックス２００と第２ボックス３００を破壊せずに分離するためには、前方から硬化樹脂Ｐを削り取るなどして除去し封印ピン４００を強引に抜くしかない。
ここで、封印ピン４００のヘッド４０１は脆弱な突片４０４を基部４０３の周辺に複数備えており、これらの突片４０４が硬化樹脂Ｐと強力に接着している。また、ヘッド４０１の突片４０４はその裏面が主板２２５の孔２２６の開口面に接するように設定されているが、硬化樹脂Ｐはその対向面間にも回り込む。
したがって、硬化樹脂Ｐを除去しようとすれば必ず硬化樹脂Ｐとともに突片４０４が引きちぎられてその痕跡が残る。また、除去できなくて囲み壁２２７内に残った硬化樹脂Ｐに対して、再度硬化樹脂を流し込んでも、界面の発生により破壊の痕跡が残る。
【００７７】
また、主板２２５の孔２２６のサイズが係止片３２６の孔３２７よりも大きく、さらに封印ピンの基部４０３よりも大きく、また封印ピン４００の突片４０４間には基部４０３に切欠部４０６が形成されている。したがって、囲み壁２２７内に充填された硬化樹脂Ｐは、図１７に誇張した塗りつぶしで示すように、基部４０３周縁と主板２２５の孔２２６の間の間隙から主板２２５の裏面と第２ボックス３００の係止片３２６との合わせ面や、さらに基部４０３の方形形状部分裏面の凹部４０５にまで回り込む。
【００７８】
充填する樹硬化脂Ｐが例えば光硬化性のものである場合には、孔２２６から封印部材３２０の孔３２７周辺に流れ込んだ硬化樹脂は、ヘッド前方から、すなわち主板２２５の表面側からの光照射だけでも容易に硬化させることができ、硬化は主板２２５やヘッド基部４０３の裏面側まで及んでいく。
したがって、封印ピン４００と硬化樹脂Ｐとの接触面積自体も大きいため、互いの接着力も高いとともに、硬化した樹脂は第１ボックス２００、第２ボックス３００および封印ピン４００を強固に結合しているので、間隙や裏面側には手前側から到達できないこととも相俟って、硬化樹脂Ｐ自体の除去も困難である。
【００７９】
さらに、封印部材２２０は上下方向および左右方向に配置した脆弱な連結部２２２（２２２ａ〜２２２ｄ）で周辺部と接続され、封印部材３２０も上下方向に配置した脆弱な連結部３２２（３２２ａ、３２２ｂ）で周辺部と接続されているので、基板ボックス３０が可動ベース部２８に保持されている状態で、封印ピン４００を抉って抜き出そうとすると各方向の連結部２２２ａ〜２２２ｄおよび３２２ａ、３２２ｂのいずれにもせん断力がかかって破壊される。したがってこの場合にも破壊の痕跡から基板ボックス３０の不正な開封を知ることができる。
【００８０】
また、第１封印部３４自体の解除の場合だけでなく、基板ボックス３０の例えば主基板収容部２０１などを抉った場合などにも、その部位に近い側に配置された上下方向の連結部２２２ａ、２２２ｂや３２２ａ、３２２ｂがせん断力を受けて破壊される。
さらに、第１封印部３４（例えばＡ）に隣接する第２封印部３６（Ｂ）を抉って可動ベース部２８との封印を解除し、無傷の基板ボックスを入手しようとした場合にも、その際の部材変形の影響を受けて、左右方向に配置したなかの当該第２封印部３６に近い側の連結部２２２ｄがせん断力を受けて破壊され基板ボックスに痕跡が残る。
【００８１】
なお、封印ピン４００のヘッド形状としては、図１４に示したほかにも種々の変形が可能である。例えば、図１８の（ａ）は脆弱部の幅をとくに細くした突片４０４ａを備えるもの、（ｂ）は根元の裏面を抉って脆弱の度合いを大きくした突片４０４ｂを有するもの、（ｃ）は先端を後方へオフセットさせた突片４０４ｃを有するもの、また、（ｄ）はヘッドが突片４０４よりも前方まで延びた突出部４０３ａを有するものである。
これらはいずれも異型部分が接着面積を増大させるのに役立つ。
上記（ｂ）、（ｃ）では一部の突片のみを他の突片と異ならせているが、もちろん全突片を同形状としてもよい。
このほか突片の形状を種々異ならせることができるが、ヘッドの正面形状は軸部の軸心に関して対称ではなく、特定の径方向を特徴付ける異型とするのが挿入時の位置決めを容易とする点で望ましい。
【００８２】
つぎに、基板ボックス３０と可動ベース部２８とを結合封印する第２封印部３６の封印結合構造について説明する。
図１９は第１ボックス２００の角孔部２４１における封印部材を示し、（ａ）は正面図、（ｂ）は（ａ）におけるＪ−Ｊ部断面図である。
角孔部２４１は底壁２４２を有する。  
第１ボックス２００を前方から見たとき、角孔部２４１の中央に、封印部材として軸を前後方向とした筒状体２４０が配置され、筒状体２４０はその前端部が上下の脆弱な連結部２４４によって角孔部２４１の上内壁と下内壁に連結されている。
【００８３】
角孔部２４１の底壁２４２は、前方から見たときの筒状体２４０と連結部２４４の輪郭に対して所定の間隙を設けた形状に切り欠かれた穴２４３を有し、筒状体２４０の後端はその穴２４３を貫通して底壁２４２よりも後方（第２ボックス側）へ突出している。
底壁２４２が筒状体２４０とつながっていないため、連結部２４４を切断することで筒状体２４０を切除できる。
筒状体２４０は前端から後端近くまでを大径孔２４７、後端部を大径孔よりも小さい小径孔２４８とする貫通孔２４６を有している。
貫通孔２４６の上端には、大径孔２４７および小径孔２４８のそれぞれに軸方向の溝２４９、２５０が形成されている。溝２４９は前端から中央まで延び、溝２５０は小径孔２４８の前端から延び、大径孔の溝２４９より短い。
【００８４】
先の図９に示すように、第２ボックス３００のカバー板部３３４には、第１ボックス２００の筒状体２４０に対応させて、筒状体２４０の後端を通過させるＵ字状の切欠き３３５が形成されている。
第１ボックス２００と第２ボックス３００を結合させた状態で、筒状体２４０の後端とカバー板部３３４の裏面とは面一となる。すなわち、底壁２４２からの筒状体２４０の突出長さはカバー板部３３４の板厚と同一に設定されている。
【００８５】
可動ベース部２８の封止ブロック部１００はその前壁１０２が、基板ボックス３０を可動ベース部２８に載置した状態で、第２ボックス３００のカバー板部３３４の裏面と面で接するように設定されている。
図５に示したように、前壁１０２には、前述のように、封印ピン４３０が貫通する係止孔１０４が形成されている。
【００８６】
封印ピン４３０について説明する。
封印ピン４３０は、図２０に示すように、筒状の第１ピン４３２と、第１ピン４３２に挿入される第２ピン４５０とからなり、いずれもＰＡ、ＰＰ、ＰＯＭ、ＰＣあるいはＡＢＳ等の樹脂製である。
図２１は第１ピン４３２を示す図である。（ａ）は正面図、（ｂ）は上面図、（ｃ）は側面図、（ｄ）は底面図、（ｅ）は背面図、そして（ｆ）は（ｂ）におけるＫ−Ｋ部断面図である。
第１ピン４３２は、第１ボックス２００の筒状体２４０の大径孔２４７に対応する径をもつ大径部４３３と、小径孔２４８に対応する径をもつ小径部４３４とからなる外形を有する。大径部４３３の長さは筒状体２４０の大径孔２４７の長さと整合している。
大径部４３３側を前、小径部４３４側を後とする。
【００８７】
第１ピン４３２の外周面には大径部４３３の前端から中央位置まで軸方向のキーリブ４３５が形成されるとともに、その延長線上に小径部４３４の前端からも短い軸方向のキーリブ４３６が形成されている。
キーリブ４３５、４３６のそれぞれの長さと高さは筒状体２４０の溝２４９、２５０に対応しており、キーリブ４３５、４３６を溝２４９、２５０に合わせれば、第１ピン４３２をその前端が筒状体２４０の前端と面一になるまで押し込むことができ、キーリブ４３５、４３６と溝２４９、２５０の係合により回転方向の位置も固定される。
【００８８】
第１ピン４３２は外形形状に沿った大径孔４３９と小径孔４４０とからなる貫通孔４３８を有している。
大径孔４３９には、キーリブ４３５に対して周方向１８０°の位置に、軸方向全長にわたるスリット４４１が形成されている。
小径部４３４には、キーリブ４３５とスリット４４１をむすぶ上下方向に対して、直角の左右方向に弾性部４４３が設けられている。弾性部４４３は、小径部４３４の筒壁に形成したコ字形状のスリットに囲まれて、大径部４３３側を根元とし軸方向後方へ延びる片形状をなし、後端に外方（左右方向）へ突出する係止爪４４４を有している。
係止爪４４４は前端を軸方向に垂直な係止面４４６とし、その後部外面は小径部４３４と同軸のコーン形状をなして、先端が小径部４３４の径まで縮径する傾斜面４４５としている。
【００８９】
第１ピン４３２の前端から係止爪４４４の係止面４４６までの距離は、第１ボックス２００の筒状体２４０の長さに、可動ベース部２８における封止ブロック部１００の前壁１０２の板厚を加えた長さに対応し、基板ボックス３０を可動ベース部２８に載置した状態で、係止爪４４４が前壁１０２の裏面に係止するよう設定されている。
小径部４３４の後端の上下には、後述の第２ピンの係止爪と係合する切欠き４４７が設けられている。
【００９０】
図２２は第２ピン４５０を示す図である。（ａ）は正面図、（ｂ）は上面図、（ｃ）は側面図、（ｄ）は背面図、そして（ｅ）は（ｂ）におけるＬ−Ｌ部断面図である。
第２ピン４５０は、第１ピン４３２の大径孔４３９に整合する径を有する大径部４５１と、小径孔４４０に整合する径を有する小径部４５２とを有し、前端が大径部４５１の前壁で閉じられ、小径部４５２の後端に開口する筒孔４５３を備えている。
大径部４５１の長さは大径孔４３９の長さに対応し、全長にわたってスリット４４１に対応する軸方向のキーリブ４５４が形成されている。
【００９１】
小径部４５２の後端からは、後方へ弾性部４５５が延びている。弾性部４５５は後端に外方（左右方向）へ突出する係止爪４５６を有し、係止爪４５６は前端を軸方向に垂直な係止面４５８とし、その後部外面は小径部４５２と同軸のコーン形状をなして、先端が当該小径部４５２の径まで縮径する傾斜面４５７としている。
弾性部４５５は、図２２の（ｅ）に示すように、第２ピン４５０の軸心とキーリブ４５４を通る直径線上の互いに反対側に設けられている。
係止面４５８の軸方向位置は、第２ピン４５０をその前端が第１ピン４３２の前端と面一になるまで押し込んだときに、第１ピンにおける小径部４３４の切欠き４４７の底端面に係止するように設定されている。
【００９２】
図２３の（ａ）は、筒状体２４０に第１ピン４３２を挿入した状態を示し、（ｂ）は（ａ）におけるＭ−Ｍ部断面図、（ｃ）は第１ピン４３２への第２ピン４５０の挿入が終了した第２の封印結合状態を示し、（ｄ）は（ｃ）におけるＮ−Ｎ部断面図である。
まず、基板ボックス３０を可動ベース部２８に載置した状態で、第１ピン４３２をその先端（後端）から筒状体２４０に差し込んでいくと、第１ピン４３２の弾性部４４３が内径方向に撓んで、（係止爪４４４が小径孔２４８の内径まで引っ込んだ状態で小径部４３４が小径孔２４８内に進入する。
そして、係止爪４４４が筒状体２４０に続く封止ブロック部１００における前壁１０２の係止孔１０４を通過すると、（ａ）、（ｂ）に示すように、弾性部４４３が復元して係止爪４４４が小径部４３４外周面から突出し、その係止面４４６が前壁１０２の裏面に係止する。
【００９３】
つぎに、第２ピン４５０をその先端（後端）から第１ピン４３２に差し込んでいくと、第２ピン４５０の弾性部４５５が内径方向に撓んで、係止爪４５６が小径孔４４０の内径まで引っ込んだ状態で小径部４５２が小径孔４４０内に進入する。
そして、係止爪４５６が小径部後端の切欠き４４７に至ると、（ｃ）、（ｄ）に示すように、弾性部４５５が復元して係止爪４５６が小径部４５２の外周面から突出し、その係止面４５８が切欠き４４７の底端面に係止する。
【００９４】
この結果、第１ピン４３２および第２ピン４５０の前端は筒状体２４０の前端と面一で、第１ピン４３２や第２ピン４５０を工具で掴むことができない。
基板ボックス３０側から延びた第１ピン４３２の係止爪４４４が左右に突出して封止ブロック部１００の前壁１０２の裏面に係止することにより、基板ボックス３０が可動ベース部２８に結合されるが、第１ピン４３２内に第２ピン４５０が挿入されることにより弾性部４４３は撓むことができない。
【００９５】
また、第１ピン４３２の係止爪４４４が係止している前壁１０２の係止孔１０４は上下に係止爪４４４が通過可能な切欠き１０５を有しているが、第１ピン４３２はキーリブ４３５、４３６と溝２４９、２５０の係合により回転が規制されているので、係止爪４４４を切欠き１０５位置へ回転させることもできない。
したがって係止爪４４４が封止ブロック部の前壁１０２から外れることはなく、基板ボックス３０と可動ベース部２８の結合が解除されることはない。
【００９６】
また、係止爪４４４を含む封印ピン４３０の後端が位置する封止ブロック部１００の空間は下端のみが開口しているが、可動ベース部２８には平板部１３２を備える補強プレート１３０が設けられて封止ブロック部１００内は閉空間となっているので、当該開口からもドライバ等によって封印ピン４３０に到達することはできず、基板ボックス３０と可動ベース部２８の結合を解除することはできない。
【００９７】
つぎに、第３封印部３８について説明する。これは、基板ボックス３０と可動ベース部２８とを封印するのに用いる封印ピン４３０を流用して基板ボックスの第１ボックス２００と第２ボックス３００間を封印する。
図２４は、第１ボックス２００における左右方向中央の角孔部２６１の封印部材を示す図である。（ａ）は正面図、（ｂ）は（ａ）におけるＱ−Ｑ部断面図である。
角孔部２６１にはその中央に、封印部材として軸を前後方向とした筒状体２６０が配置され、上下の脆弱な連結部２６４によって角孔部の上内壁と下内壁に連結されている。
筒状体２６０は左右に隣接する角孔部２４１における筒状体２４０よりも前方に突出している。
【００９８】
角孔部２６１は隣接する角孔部２４１と同じく底壁２６２を有し、底壁２６２は前方から見たときの筒状体２６０と連結部２６４の輪郭に対して所定の間隙を設けた形状に切り欠かれた穴２６３を有して、筒状体２６０の後端はその穴２６３を貫通して底壁２６２の裏面と面一になっている。
【００９９】
筒状体２６０は前端から後端近くまでを大径孔２６７、後端部を大径孔よりも小さい小径孔２６８とする貫通孔２６６を有している。
大径孔２６７は封印ピン４３０における第１ピン４３２の大径部４３３に対応する径をもち、小径孔２６８は小径部４３４に対応する径をもつ。大径孔２６７の長さは第１ピンの大径部４３３の長さと整合している。
【０１００】
貫通孔２６６の上端には、大径孔２６７および小径孔２６８のそれぞれに軸方向の溝２６９、２７０が形成されている。
大径孔２６７の溝２６９は前端から中央まで延び、小径孔２６８の溝２７０は前端から延び、大径孔の溝２６９より短い。
ここまでは隣接する角孔部２４１の筒状体２４０と同一で、第１ピン４３２を挿入可能となっている。
筒状体２６０の軸方向長さは、第１ピン４３２の前端から係止爪４４４の係止面４４６までの距離に対応しており、これにより、第１ピン４３２をその前端が筒状体２６０の前端と面一になるまで挿入したとき、係止面４４６が筒状体２６０の後端に係止する。
【０１０１】
図２５は第２ボックス３００の矩形ブロック３４１の封印部材を示す図である。（ａ）は正面図、（ｂ）は（ａ）におけるＲ−Ｒ部断面図、（ｃ）は底面図である。
矩形ブロック３４１は、封印部材として、中央に軸を前後方向としたキャップ状体３４０が配置され、上下の脆弱な連結部３４４によって上壁と下壁に連結されている。
矩形ブロック３４１はまた前壁３４２を備え、前壁３４２は前方から見たときのキャップ状体３４０と連結部３４４の輪郭に対して所定の間隙を設けた形状に切り欠かれた穴３４３を有して、キャップ状体３４０の前端はその穴３４３を貫通して前壁３４２の前面と面一になっている。
【０１０２】
キャップ状体３４０は後端が閉じ、前端に開口する筒孔３４６を有する。筒孔３４６の軸方向前半は第１ピン４３２の２つの係止爪４４４の自由状態における外方端間の距離に対応する大径孔３４７となっており、後半は第２ピン４５０における弾性部４５５の係止爪４５６を収容できるよう設定された小径孔３４８となっている。
矩形ブロック３４１の前壁３４２は、第１ボックス２００と第２ボックス３００を結合したときに、第１ボックスの角孔部２６１の底壁２６２と面で接するとともに、キャップ状体３４０の筒孔３４６と筒状体２６０の貫通孔２６６の軸が整合するように設定されている。
【０１０３】
この状態で、前述のように第１ピン４３２をその前端が筒状体２６０の前端と面一になるまで挿入してその係止爪４４４を筒状体２６０の後端に係止させる。このとき、第１ピン４３２の小径部４３４はキャップ状体３４０の筒孔３４６内に延びる。
それから、第１ピン４３２に第２ピン４５０をその前端が筒状体２６０ならびに第１ピン４３２の前端と面一になるまで挿入すると、第２ピン４５０の係止爪４５６が第１ピン４３２の小径部４３４の切欠き４４７に突出して、その係止面４５８が切欠き４４７の底端面に係止して、第３の封印結合構造が形成される。図２６はこの状態を示す。
【０１０４】
これにより、第２ピン４５０は第１ピン４３２から抜けず、第１ピン４３２は筒状体２６０から抜けず、第１ピン４３２と第２ピン４５０からなる封印ピン４３０が第１ボックス２００と第２ボックス３００間の合わせ面を横切る状態に保持されるので、第１ボックス２００と第２ボックス３００が互いにスライドするのを阻止する。
【０１０５】
なお、矩形ブロック３４１の下端には前壁３４２の延長線上に下方へ延びるフック３１４が形成されており、このフック３１４が第１ボックス２００の下端壁における角孔部底壁２６２の直後に形成されたフック受け２０８（図２６参照）に差し込まれる。
これにより、第１ボックス２００と第２ボックス３００の下端に沿った合わせ面からドライバを差し込んで矩形ブロック３４１と角孔部２６１を引き離すことを困難にしている。
【０１０６】
さらに、封止ブロック部１００の周辺は可動ベース部２８の補強プレート１３０によってカバーされているので、上方から基板ボックス３０と可動ベース部２８の間にドライバ等を差し込んで封止ブロック部１００回りを抉ろうとしても、距離が遠いうえ、可動ベース部２８の撓みも抑えられるため、各封印部裏側からの封印ピン４００、４３０の抜き取りも防止される。
また、基板ボックス３０下端の横長の突出片が可動ベース部２８の載置部８２および補強プレート１３０の両スリット穴１１０、１３８に係止するので、これによっても基板ボックス３０の撓みが抑えられ、封印ピンの抜き取りが防止される。
【０１０７】
以上の構成になる主制御装置２２は次のように組み立てられ、筐体本体２内に取り付けられた台座装置２５に装着される。
まず、主基板２３を第１ボックス２００の内側に取り付けたうえ、第１ボックス２００と第２ボックス３００を引掛部２１２と引掛部３１２との係合により結合して、基板ボックス３０内に主基板２３を収納した主制御装置２２を形成する。
【０１０８】
すなわち、第１ボックス２００を第２ボックス３００に対して下方に所定量ずらせた位置で、第１ボックス２００の引掛部２１２を第２ボックス３００の引掛部３１２間に置いて第１ボックスと第２ボックスを重ね合わせ、それから第１ボックス２００を第２ボックス３００に対して相対的に上方へスライドさせることによって引掛部２１２と引掛部３１２が互いに係合する。
そして、第２ボックス３００の固定ブロック３０４の穴３０５から、対向している第１ボックス２００の連結固定部２１５のネジ孔２１６にネジをねじ込むことにより、第１ボックスと第１ボックスを結合状態に固定して基板ボックス３０とする。基板ボックス３０の側壁にはレール３２が形成される。
【０１０９】
つぎに、基板ボックス３０の表側（第１ボックス側）から左端の切欠部２２１において第１封印部３４の封印を行う。
すなわち、第１ボックス２００と第２ボックス３００を互いにスライドさせたときに、第２ボックスの封印部材の係止片３２６が第１ボックスのポケット部２２８の係止片受け部２２８ａに挿入される。
この状態で、切欠部２２１における主板２２５の囲み壁２２７に囲まれた孔２２６に、封印ピン４００を挿入する。この際、封印ピンのヘッド４０１から延びる突片４０４が囲み壁２２７の上円下方形状に沿うようにヘッド４０１の向きを定めるとともに、ヘッドの基部４０３の後端が孔２２６内に位置し、突片４０４の裏面が主板２２５の表面に接するまで挿入する。
【０１１０】
これにより、封印ピン４００の軸部４０２が第２ボックス３００の係止片３２６を貫通して、係止爪４０８が当該係止片に係止する。
封印ピン４００を挿入した後、囲み壁２２７内に硬化樹脂を充填することにより、前述の第１の封印結合構造が形成される。
なお、第１の封印結合構造は右端の切欠部２２１においても形成できるが、左右いずれを先に封印するかはあらかじめ設定されている。
【０１１１】
第１の封印結合構造が形成された基板ボックス３０は、固定ベース部２６に対して傾倒姿勢とした可動ベース部２８の上端から側板部８４、８５の間に挿入して、側壁のレール３２を可動ベース部の側板部のガイド溝１１４にガイドさせながらスライドさせ、下端を載置部８２上の補強プレート１３０に着座させる。
この後は、可動ベース部２８を起立姿勢位置として行なうと作業が容易である。
【０１１２】
上記載置状態において、第１ボックス２００の固定面２０５に重なった固定ブラケット部１１８の穴１１９から、固定面のネジ孔２０６にネジをねじ込んで、基板ボックス３０を可動ベース部２８に固定する。そして、固定面２０５に続く平面部２０７と固定ブラケット部１１８の両者にまたがって封印シールを貼付する。
【０１１３】
また、基板ボックス３０の下端に形成されている左右に長い突出片２１８が、可動ベース部２８の載置部８２および補強プレート１３０のスリット穴１１０、１３８に挿入されるので、基板ボックス３０と可動ベース部２８の間にドライバ等を差し込んで抉ろうとしても、両者の間を開くことはできない。
【０１１４】
つぎに、基板ボックス３０の第２封印部３６の最左端において封印を行う。
すなわち、角孔部２４１における筒状体２４０の貫通孔２４６に封印ピン４３０を挿入する。ここでは、まず第１ピン４３２をその大径部のキーリブ４３５を貫通孔２４６の溝２４９に合わせて押し込み、第１ピン４３２の前端を筒状体２４０の前端と面一にする。これにより第１ピン４３２の係止爪４４４が可動ベース部２８の封止ブロック部１００の前壁１０２に係止して基板ボックス３０と可動ベース部２８が結合される。
それから、第２ピン４５０をその先端から第１ピン４３２の貫通孔４３８に押し込み、大径部のキーリブ４５４を第１ピンのスリット４４１に合わせて挿入して、第２ピン４５０の前端を第１ピン４３２ならびに筒状体２４０の前端と面一にする。
【０１１５】
これにより、第２ピン４５０の係止爪４５６が第１ピン４３２の切欠き４４７の底端面に係止して第２ピンが第１ピンから抜けなくなって、第２の封印結合構造が形成され、基板ボックス３０と可動ベース部２８の結合状態が固定される。
また、第２ピン４５０のキーリブ４５４と第１ピン４３２のスリット４４１、第１ピンのキーリブ４３５、４３６と筒状体の溝２４９、２５０の各係合により、封印ピン４３０の回転も規制される。
なお、第２の封印結合構造は他の角孔部２４１においても形成できるが、どの順番で封印するかはあらかじめ設定されている。
【０１１６】
一方、第１封印部３４を封印した後に基板ボックス３０を第１ボックス２００と第２ボックス３００に分解するためには、その封印を解除しなければならない。
第１封印部３４の封印を解除するには、第１ボックス２００および第２ボックス３００の各連結部材２２２、３２２をニッパなどの工具で切断し、各封印部材２２０、３２０を切除する。
第１封印部３４においては、第１ボックス側の封印部材２２０のポケット部２２８に第２ボックス側の封印部材３２０の係止片３２６が差し込まれ、封印ピン４００によって両封印部材は連結されているので、第１ボックス２００または第２ボックス３００の連結部材２２２、３２２の一方のみを切断するだけでは第１ボックスと第２ボックスを分離することができない。
【０１１７】
また、第２封印部３６を封印した後に基板ボックス３０を可動ベース部２８から取外す場合には、その封印を解除しなければならない。
第２封印部３６の封印を解除するには、各連結部材２４４を切断して、封印部材である筒状体２４０を第１ボックス２００から切除する。
それから、その筒状体２４０を９０°回転させて、可動ベース部２８の封止ブロック部１００の前壁１０２に係止している封印ピン４３０の係止爪４４４を係止孔１０４の切欠き１０５に合わせることにより、筒状体２４０を封止ブロック部１００から解放する。
これにより、基板ボックス３０を可動ベース部２８に対して上方へスライドさせ、可動ベース部から取外すことができる。
【０１１８】
切除された筒状体２４０に組み付けられていた封印ピン４３０は、その第２ピン４５０の係止爪４５６を径方向内側に押し込んで第１ピン４３２との係止を外すことにより第１ピンから抜くことができ、その結果、第１ピン４３２もその係止爪４４４を径方向内側に押し込んで筒状体２４０から同様に抜くことができるので、再利用することができる。
【０１１９】
つぎに、複数の封印部の利用順序の一例を次に示す。
まず、スロットマシンの製造時において、主基板２３が基板ボックス３０内に収容されて主制御装置２２が組み立てられると、左端の第１封印部３４（図３に示すＡ）が封印される。そして、主制御装置２２が台座装置２５に装着されると、複数の第２封印部３６のうちの左端のもの（図３に示すＢ）が封印される。
貼付枠２０２に貼付された封印履歴記録シートには、第１封印部（Ａ）を封印した日時及び封印した者の氏名が記載されるように定められ、第２封印部（Ｂ）についても同様に定められている。
したがって、封印履歴記録シートの記載内容と、封印部の切除の形跡を見比べることで、主制御装置（基板ボックス３０）の不正な分解がなされていないかを容易に判断することができる。
【０１２０】
主制御装置２２の不具合発生や検査等により、主基板２３を基板ボックス３０から取り外す場合、封印済みの第２封印部（Ｂ）の封印が最初に解かれて主制御装置２２が台座装置２５から取り外され、次いで封印済みの第１封印部（Ａ）の封印が解かれて主基板２３が基板ボックス３０から取り外される。
主基板２３の修理や点検等が終了すると、主基板２３が基板ボックス３０内に収容されて主制御装置２２が再組立てされる。
【０１２１】
再封印においては、今度は基板ボックス３０左端の第１封印部３４は封印部材２２０、３２０が切除されており使用できないから、右端の第１封印部（Ａ）を封印する。ここでは、正規の管理者が新たな封印ピン４００を第１ボックス２００の主板２２５の孔２２６から第２ボックス３００の係止片３２６の孔３２７に通して両ボックスを連結し、主板の囲み壁２２７に硬化樹脂を充填して封印する。
つぎに、右端の第１封印部（Ａ）を封印したこの主制御装置２２を台座装置２５に装着して、取外作業により封印が解除され封印部材（筒状体２４０）が切除された第２封印部（Ｂ）に隣接する左端から２番目の第２封印部（Ｃ）を封印する。
封印に用いる封印ピン４３０は封印を解除した左端の第２封印部（Ｂ）から取り外したものを再利用する。
【０１２２】
以下、検査ごとに封印を解除することになるが、２回目の検査後の封印は右端から２番目の第２封印部（Ｄ）のみを封印する。この場合、基板ボックス３０と可動ベース部２８間を封印するので、第１ボックス２００と第２ボックス３００間も同時に封印されている状態となる。
３回目の検査後の封印は最右端の第２封印部（Ｅ）のみを封印する。
検査その他の理由により、最後に最右端の第２封印部（Ｅ）を切除した後は、再封印可能な第２封印部３６は残っていないから、主基板２３を基板ボックス３０ごとメーカーへ返送する。
この際、第２封印部３６に使いまわした封印ピン４３０を用いて、今度は第３封印部（Ｆ）を封印することにより、基板ボックス３０が封印された状態で返送することができる。
【０１２３】
本実施例は以上のように構成され、基板ボックス３０には第１封印部３４が設定され、該第１封印部３４は基板ボックス３０における周辺部から間隙をもって離間し、脆弱な連結部２２２、３２２により周辺部と接続しており、周辺部の変形により脆弱な連結部２２２や３２２が切断するように構成したものとしたので、例えば周辺部を抉った場合などにその部位に対応して脆弱な連結部２２２、３２２のいずれかがせん断力を受けて切断するので、基板ボックス３０に対して不法なアクセスが行われた痕跡が残る。
【０１２４】
とくに、上記周辺部には第２封印部３６が設定されており、脆弱な連結部２２２ｄまたは２２２ｃは、第１封印部３４（Ａ）と第２封印部３６（Ｂ、Ｅ）間の間隙に設けられて、当該間隙を横切る左右方向に延びているので、基板ボックス３０と可動ベース部２８の結合状態の封印に係わり不正なアクセスの試みが行われやすい第２封印部３６が変形すると、第２封印部３６に近い側の脆弱な連結部２２２ｄまたは２２２ｃがとくに大きなせん断力を受ける結果、当該脆弱な連結部が容易に切断する。
【０１２５】
さらに、脆弱な連結部２２２ａ、２２２ｂや３２２ａ、３２２ｂが、第２封印部３６が設定されていない領域（上壁２２１ａ、３２１ａ側）と第１封印部３４間の間隙にも設けられ、当該間隙を横切る上下方向に延びているので、基板ボックス３０の主基板収納部分を抉った場合などに主基板収納部分に近い側のこれらの脆弱な連結部２２２ａ、２２２ｂや３２２ａ、３２２ｂのいずれかが大きなせん断力を受けて容易に切断し、基板ボックス３０に痕跡が残ることになる。
【０１２６】
基板ボックス３０は、互いに重ね合わせてその重ね合わせ方向に対し垂直方向に互いにスライドさせて結合され主基板２３の収納空間を形成する第１ボックス２００と第２ボックス３００とからなるとともに、第１ボックス２００と第２ボックス３００の結合状態を封印する第１封印部３４を備え、第１封印部３４は、第１ボックス２００に設けられて孔２２６を備える封印部材２２０および第２ボックス３００に設けられて孔３２７を備える封印部材３２０と、係止爪４０８を備え孔２２６から孔３２７にわたって挿通される樹脂製の封印ピン４００とを有し、封印部材２２０は、孔２２６が形成された主板２２５と、主板２２５の裏面に順次に続くポケット部２２８および袋部２２９を備え、ポケット部２２８は封印ピン４００の挿通方向と交差する方向であって第１ボックス２００と第２ボックス３００のスライド方向に沿った一方向に開口し、袋部２２９は主板２２５側にのみ開口して、孔２２６から挿通される封印ピン４００の先端を受容する孔２３０、２３１を備え、封印部材３２０は、ブロック部３２５と該ブロック部から第１ボックス２００と第２ボックス３００のスライド方向に沿った他方向に延びて孔３２７が形成された係止片３２６を備え、封印ピン４００は係止片３２６が封印部材２２０のポケット部２２８に挿入された位置における孔３２７を貫通するとともに、係止爪４０８が係止片３２６の袋部２２９側の面に係止して抜けを禁止され、ブロック部３２５の係止片３２６が延びる端部（平坦面３２５ａ）は、該係止片３２６をポケット部２２８に挿入したとき、ポケット部２２８の開口端およびこれと連なる袋部の端部（平坦面２２９ａ）と面で接するように設定されて、係止爪４０８と係止片３２６との係止部分が外部から遮断されているものとした。
【０１２７】
これにより、係止爪４０８まわりが外部から遮断されているから、係止爪４０８と係止片３２６との係止部分へ不正にアクセスして封印を解除することはできない。
すなわち、係止爪４０８は、封印部材３２０における、ポケット部２２８および袋部２２９の上端平坦面２２９ａおよびブロック部３２５の平坦面３２５ａの両者を横切る係止片３２６に係止するから、平坦面２２９ａと平坦面３２５との合わせ面にドライバなどを差し込んでこじ開けても、封印ピン４００の係止爪４０８と係止片３２６の係止部分にアクセスすることができず外力を及ぼすことができない。
また、破壊の痕跡のない第１ボックス２００と第２ボックス３００を得ようとして、例えば封印部材３２０を第２ボックス３００から切り離すなど破壊しても、係止片３２６が依然として封印部材２２０のポケット部２２８内において封印ピン４００と係止したままであり、袋部２２９乃至ポケット部２２８を切り開かなければ係止片３２６を取り除くことができないから、第１ボックス２００の封印部材２２０も破壊せざるを得ず、破壊の痕跡のない第１ボックス２００と第２ボックス３００を揃えて新たな基板ボックス３０を作り上げることはできない。
【０１２８】
封印部材２２０の主板２２５は第１ボックス２００と第２ボックス３００の重ね合わせ方向に対し垂直で、ポケット部２２８の開口の一辺は主板２２５の裏面上にあり、封印部材３２０のブロック部３２５は主板２２５と平行な前面３２８を備えて、当該主板２２５と面で接し、係止片３２６はブロック部３２５の前面３２８と面一に延びている。
ポケット部２２８が主板２２５の裏面にそって開口しているので、第１ボックス２００と第２ボックス３００をスライドさせて結合する際、係止片３２６は主板２２５の裏面上を滑ってどこにも引っかかることなく簡単にポケット部２２８に挿入されるとともに、挿入後に封印ピン４００の係止爪４０８と係止した係止片３２６は主板２２５の裏面に当接状態となり、ガタのない封印状態が得られる。
【０１２９】
さらに、封印ピン４００のヘッド４０１が基部４０３と脆弱な突片４０４とからなり、当該ヘッド４０１が硬化樹脂Ｐで覆われているものとしたので、封印ピン４００をヘッド４０１側から強引に抜こうとしても、ヘッド４０１を覆っている硬化樹脂Ｐを削り取ろうとする際に、脆弱な突片４０４が硬化樹脂Ｐとともに引きちぎられてその痕跡が残るので、不正な試みが行われたことを容易に知ることができる。
一方、脆弱部を第１ボックス２００や第２ボックス３００側に設ける代わりに、封印ピン４００のヘッドに突片４０４として設けたので、基板ボックス３０の組立操作の際などに破損してしまうおそれもない。
【０１３０】
そして、ひとつの基板ボックスから第１ボックスのみを破壊して破壊の痕跡のない第２ボックスを入手し、他の基板ボックスからは第２ボックスのみを破壊して破壊の痕跡のない第１ボックスを入手するため、封印ピン４００を抜こうとすれば上記のとおり、突片４０４に破壊の痕跡のない封印ピン４００も残すことはできないので、この点でも破壊の痕跡のない新たな基板ボックスを作り上げることが不可能である。
【０１３１】
封印ピンのヘッドの突片４０４は、基部から複数が放射方向に延びて、とくに基部４０３の軸方向厚さよりも薄いので、硬化樹脂を削り取ろうとする際に、樹脂とともに確実に破損して痕跡が残る。
【０１３２】
また、第１ボックスの孔２２６を囲み、封印ピンのヘッド４０１と間隙を設けた囲み壁２２７が形成されているので、硬化樹脂はこの囲み壁内に充填することにより、封印ピンのヘッド回りに絞って有効かつ容易に硬化樹脂で覆うことができる。
また、封印ピン挿入の際にヘッドの脆弱部である突片４０４が囲み壁に接触して破損することもない。
【０１３３】
封印ピン４００のヘッド４０１の正面形状は、特定の径方向を特徴付ける異型の上円下方形状であり、囲み壁２２７は、ヘッド４０１の正面形状に対応した形状を有している。
すなわち、封印ピン４００のヘッドの基部４０３は、半円部分と方形部分とからなる上円下方形状をなし、突片４０４は半円部分においては径方向に延び、方形部分においては幅方向に張り出して延びており、囲み壁２２７は突片４０４の先端の包絡線に対応した上円下方形状をなしているので、封印ピン４００を挿入する際、ヘッド４０１の向きを囲み壁２２７の形状に合わせて位置決めすることができ、挿入作業が容易である。
【０１３４】
封印ピン４００の基部４０３には隣接する突片４０４と４０４の間に切欠部４０６が設けられて、この切欠部から封印部材２２０の孔２２６内まで硬化樹脂が流入するよう構成されているので、硬化樹脂はさらに孔２２６の裏側まで回り込んで封印部材３２０とも接着する。
また、封印ピン４００の基部４０３における方形部分の軸部側裏面には凹部４０５が形成されているので、硬化樹脂がこの凹部４０５にも回り込んで、接着面積がさらに拡大する。
これらヘッドの裏面側に回り込んだ硬化樹脂は手前側から直接アクセスすることができないので、封印部材２２０や封印部材３２０を破壊しない限りは除去が極めて困難である。
【０１３５】
封印部材３２０の孔３２７は封印ピン４００の軸部４０２が貫通する径を有し、封印部材２２０の孔２２６は基部４０３を受け入れて孔３２７より大きな径を有しているので、硬化樹脂Ｐが例えば光硬化性のものである場合には、孔２２６から封印部材３２０の孔３２７周辺に流れ込んだ硬化樹脂は、ヘッド４０１前方からの光照射だけでも容易に硬化させることができる。
【０１３６】
台座装置２５の可動ベース部２８と基板ボックス３０の結合状態を封印する第２封印部３６は、第１ボックス２００に前後方向に設けられた筒状体２４０と、第２ボックス３００に設けられて筒状体２４０を貫通させるとともに第１ボックスと第２ボックスの結合状態において裏面が筒状体２４０の後端と面一となるカバー板部３３４と、台座装置２５に設けられてカバー板部３３４に接する前壁１０２を含んで閉空間を形成するとともに前壁に係止孔１０４を備える封止ブロック部１００と、筒状体２４０に挿入された封印ピン４３０とからなる。
筒状体２４０は前側が大径、後側が小径の貫通孔２４６を有し、封印ピン４３０は第１ピン４３２と第１ピン内に挿入される第２ピン４５０とからなる。
第１ピン４３２は筒状体２４０の貫通孔２４６に対応させた前側が大径、後側が小径の外形を有するとともに、当該外形に対応させた貫通孔４３８を有し、後側に係止爪４４４を有する弾性部４４３を備えて、当該係止爪４４４が封止ブロック部１００の前壁の係止孔１０４を貫通して前壁１０２の裏面に係止する。そして、第２ピン４５０は第１ピン４３２の貫通孔４３８に対応させた前側が大径、後側が小径の外形を有し、後端に係止爪４５６を有する弾性部４５５を備えて、当該係止爪４５６が第１ピン４３２の後端側端面に係止する構成となっている。
この構成により、基板ボックス３０側から延びた第１ピン４３２の係止爪４４４が台座装置２５側の前壁１０２の裏面に係止するとともに、第１ピン４３２内に第２ピン４５０が挿入されることにより上記係止状態が保持されて、基板ボックス３０と台座装置２５が結合される。そして、係止爪４４４、４５６まわりは封止ブロック部１００の閉空間内にあるので、外部から係止部分へ不正にアクセスして封印を解除することはできない。
また、第１の封印部３４が利用できない場合でも、第２ボックス３００が第１ボックス２００と可動ベース部２８との間に挟まれるので、第２封印部３６の封印を解除しない限りは基板ボックス３０を開くこともできない。
【０１３７】
さらに第１ボックス２００と第２ボックス３００の結合状態を封印する第３封印部３８は、第１ボックス２００に前後方向に設けられた筒状体２６０と、これに挿入する第２封印部３６と同じ封印ピン４３０と、第２ボックス３００に設けられて筒状体２６０を貫通した封印ピン４３０の先端を受容する筒孔３４６を備えたキャップ状体３４０とからなり、封印ピンの第１ピン４３２の係止爪４４４が筒状体２６０の後端に係止し、第２ピン４５０の係止爪４５６が第１ピン４３２の後端側端面に係止する構成となっている。
これにより、封印ピン４３０が第１ボックス２００と第２ボックス３００間の合わせ面を横切る状態に保持されて、第１ボックス２００と第２ボックス３００が互いにスライドするのを阻止するから、第１封印部３４が利用できない場合でも、第２封印部３６に用いたのと同じ封印ピン４３０を用いて、第１ボックス２００と第２ボックス３００間の結合状態を封印保持することができ、主基板２３をメーカなどへ返送する際の安全を確保することができる。
【０１３８】
台座装置２５は基板ボックス３０を載置して保持する可動ベース部２８と、該可動ベース部をその下端を回動軸として上下に回動可能に支持する固定ベース部２６とからなり、第１封印部３４、第２封印部３６および第３封印部３８は、基板ボックス３０の下端部に横方向に並べて設定され、可動ベース部２８は、基板ボックス３０の下端面をカバーする平板部１３２と、第１封印部３４の裏面側と、第２封印部３６および第３封印部３８の周辺部の裏面側をカバーする縦壁１３４とを有する補強プレート１３０を備え、固定ベース部２６は、可動ベース部２８を固定ベース部２６にそった起立姿勢位置にしたときに、第２封印部３６と第３封印部３８の裏面側をカバーする取付フレーム部材４８を備えている。
これにより、基板ボックス３０を可動ベース部２８に保持した状態において、まず各封印部が基板ボックス３０および可動ベース部２８の上端から遠く、しかも補強プレート１３０の縦壁１３４の存在も手伝って、基板ボックス３０と可動ベース部２８の上部合わせ面からドライバなどを差し込んでも各封印部の裏側へアクセスすることは不可能となっている。
【０１３９】
また、基板ボックス３０が可動ベース部２８に載置された状態で、第１封印部３４、第２封印部３６および第３封印部３８はいずれも下方が補強プレート１３０の平板部１３２でカバーされ、後方が縦壁１３４および取付フレーム部材４８でカバーされるので、各封印部が下方や後方からの外部力によって破壊されることをとくに困難にしている。
【０１４０】
なお、実施の形態では、封印ピン４００のヘッド全体が硬化樹脂Ｐにより覆われているものとしたが、これに限定されず、脆弱部としたヘッドの一部、例えば突片４０４の表面側のみに硬化樹脂Ｐを付着させてものでもよいし、さらには第１封印部３４に硬化樹脂をまったく付着させていない封印ピンを用いてもよい。
また、封印ピン４００の脆弱部はヘッドの突片４０４に限定されず、その部位や形状を種々選択することができ、さらには封印ピン４００に代わるものとして破断ネジ等の他の部材を採用することもできる。
【０１４１】
また、第１ボックス２００が第１ケースに該当し、第２ボックス３００が第２ケースに該当するものとしたが、これを逆転させて、基板ボックス自体の封印に係る第１封印部については封印ピン４００を第２ボックス３００側から第１ボックス２００側へ挿入する構成としてもよく、同様に、第３封印部についても封印ピン４３０を第２ボックス３００側から第１ボックス２００側へ挿入する構成としてもよい。
【０１４２】
実施の形態では、封印部として第１封印部３４が２箇所、第２封印部３６が４箇所、第３封印部３８が１箇所の例を図示したが、それぞれの個数は任意に設定することができ、また封印部相互の配置関係も図示例に限定されない。
また、第１封印部３４には、ヘッドに脆弱部としての突片４０４を備えた封印ピン４００を用いて、硬化樹脂Ｐでヘッド４０１を覆った封印構造を採用し、第２封印部３６と第３封印部３８には、第１ピン４３２と第２ピン４５０とからなる２段の封印ピン４３０を用いた封印構造を採用したが、第２封印部３６および第３封印部３８においても、封印ピン４００と硬化樹脂Ｐを用いた第１封印部３４と同一の封印構造としてもよい。これにより、封印ピンが１種に統一され、コスト低減と管理の手間が省けるという利点が得られる。
【０１４３】
あるいは逆に、基板ボックスを封印する第１封印部３４において、同じく基板ボックスを封印する第３封印部３８と同構造、すなわち２段の封印ピン４３０を用いた封印構造を採用することもできる。封印ピン４３０は基板ボックスを可動ベース部２８に封印結合する第２封印部３６にも用いられているから、第１封印部３４から第３封印部３８まですべての封印部に同一の封印ピン４３０が使用されることになり、これによってもコスト低減と管理の手間が省けるという利点が得られる。
【０１４４】
第１封印部において、係止爪４０８は封印部材３２０における係止片３２６に係止するものとしたが、これに限定されず、係止片３２６にそわせて第１ボックス２００と第２ボックス３００のスライド方向に垂直な面を横切る壁を封印部材２２０におけるポケット部２２８あるいは袋部２２９に形成して、この壁に係止爪４０８を係止するように設定してもよい。
【０１４５】
また、可動ベース部の補強プレートは載置部８２の上面から底板部８０の表面にかけて重ねたものとしたが、これに限定されず、載置部８２または底板部８０の一方に内挿する構成としてもよく、あるいは両方に埋め込みモールドしてもよい。
【０１４６】
さらに、実施の形態は遊技機としてスロットマシンに適用した例を示したが、本発明はこれに限定されず、異なるタイプの遊技機、具体的には遊技媒体として遊技球を用いる弾球式の遊技機、いわゆるパチンコ機等に適用してもよい。例えば、特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機として実施するようにしてもよい。
また、弾球式でない遊技機、例えば、外枠に開閉可能に支持された遊技機本体に貯留部および取込装置を備え、貯留部に貯留されている所定数の遊技球が取込装置により取り込まれた後にスタートレバーが操作されることによりリールの回転を開始する、パチンコ機とスロットマシンとが融合された遊技機として実施するようにしてもよい。
【０１４７】
以下、上述した実施の形態から抽出される発明の特長を、必要に応じて効果等とともに示す。
（１）制御基板を基板ボックスに収納した遊技機において、
基板ボックスには第１封印部が設定され、
該第１封印部は基板ボックスにおける周辺部から間隙をもって離間し、脆弱な連結部により前記周辺部と接続しており、
前記周辺部の変形により前記脆弱な連結部が切断、破損、塑性変形または変色するように構成したことを特徴とする遊技機。
周辺部の変形により脆弱な連結部がせん断力等を受けて切断、破損、塑性変形または変色するので、基板ボックスに対して不法なアクセスが行われた痕跡が残り、これにより、高いセキュリティが得られる。
ここで「脆弱な」とは、第１封印部から離間した周辺部に対する負荷によって切断、破損、塑性変形または変色等して痕跡が残る程度に脆弱なことを意味している。変色としては周辺部の変形により樹脂製の連結部が白化することが例示される。
【０１４８】
上記（１）記載の遊技機における「第１封印部」を基板ボックス以外の他の部材（封印対象部材）に設定し、該封印対象部材に対しての不法なアクセスに対して痕跡が残るようにしても良い。例えば、上記実施形態における基板ボックスと台座装置との封印構造として設定された封印部が例示される。
【０１４９】
（２）前記周辺部には第２封印部が設定されており、
前記脆弱な連結部は、前記第１封印部と第２封印部間の間隙に設けられて、当該間隙を横切る方向に延びていることを特徴とする（１）に記載の遊技機。
不正なアクセスが行われやすい第２封印部が変形すると、第２封印部に近い脆弱な連結部がとくに大きなせん断力を受ける結果、当該脆弱な連結部が容易に切断する。
（３）「第２封印部」は、第１封印部に対して封印する対象部品または封印構造のうち少なくとも一方が異なるものを意味している。
第１封印部に対して第２封印部の封印する対象部品が異なる場合として、例えば、第１封印部が基板ボックスの第１ケースと第２ケースの結合状態を封印するものとするとき、第２封印部は、基板ボックスとベース部材の結合状態を封印するものとすることができる。基板ボックスとベース部材の結合状態の封印に係わりとくに不正なアクセスの対象となりやすい第２封印部の変形に応じて、脆弱な連結部が切断しアクセスの痕跡が残る。
また、同一の対象部品（例えば、基板ボックス）に対して複数種類の封印構造（例えば、硬化樹脂を用いた封印構造と、２段の封印ピンを用いた封印構造）を用いた場合には、不正行為者が封印解除が容易と判断した一方の封印構造を狙った不正行為によって連結部に痕跡が残るので不正行為を効果的に抑制することができる。
【０１５０】
（４）さらに、脆弱な連結部が、前記第２封印部が設定されていない領域と前記第１封印部間の間隙にも設けられ、当該間隙を横切る方向に延びていることを特徴とする（２）または（３）に記載の遊技機。
基板ボックスの第２封印部以外の制御基板収納部分を抉った場合などに制御基板収納部分に近い側のこれらの脆弱な連結部のいずれかが大きなせん断力を受けて容易に切断し、基板ボックスに痕跡が残る。
【０１５１】
（５）制御基板を基板ボックスに収納した遊技機において、
基板ボックスは、互いに重ね合わせてその重ね合わせ方向に対し垂直方向に互いにスライドさせて結合され制御基板の収納空間を形成する第１ケースと第２ケースとからなるとともに、第１ケースと第２ケースの結合状態を封印する封印部を備え、
該封印部は、
第１ケースに設けられて第１の孔を備える第１の封印部材および第２ケースに設けられて第２の孔を備える第２の封印部材と、
第１の係止爪を備え前記第１の孔から第２の孔にわたって挿通される樹脂製の第１の封印ピンとを有し、
前記第１の封印部材は、
前記第１の孔が形成された主板と、主板の裏面に順次に続くポケット部および袋部を備え、
前記ポケット部は前記第１の封印ピンの挿通方向と交差する方向であって第１ケースと第２ケースのスライド方向に沿った一方向に開口し、
前記袋部は主板側にのみ開口して、前記第１の孔から挿通される第１の封印ピンの先端を受容する孔を備え、
前記第２の封印部材は、ブロック部と該ブロック部から第１ケースと第２ケースのスライド方向に沿った他方向に延びて前記第２の孔が形成された係止片を備え、
前記第１の封印ピンは前記係止片が第１の封印部材のポケット部に挿入された位置における前記第２の孔を貫通するとともに、前記第１の係止爪が前記係止片の前記袋部側の面に係止し、
前記ブロック部の前記係止片が延びる端部は、該係止片を前記ポケット部に挿入したとき、ポケット部の開口端およびこれと連なる袋部の端部と面で接するように設定されて、
前記第１の係止爪と係止片との係止部分が外部から遮断されていることを特徴とする遊技機。
これによれば、第２の封印部材を第２ケースから切り離すなど破壊しても、係止片が依然として第１の封印部材のポケット部内において第１の封印ピンと係止したままであり、袋部乃至ポケット部を切り開かなければ係止片を取り除くことができない。すなわち、第２ケースを破壊することにより正規状態の第１ケースを得ようとしても、第１ケースの第１の封印部材も破壊せざるを得ないから、破壊の痕跡のない第１ケースと第２ケースを揃えて新たな基板ボックスを作り上げることはできない。これにより、高いセキュリティが得られる。
【０１５２】
（６）前記第１の封印部材の主板は前記第１ケースと第２ケースの重ね合わせ方向に対し垂直で、前記ポケット部の開口の一辺は前記主板の裏面上にあり、
前記第２の封印部材のブロック部は前記主板と平行な対向壁面を備えて、当該主板と面で接し、前記係止片はブロック部の前記対向壁面と面一に延びていることを特徴とする（５）に記載の遊技機。
ポケット部が主板の裏面にそって開口しているので、第１ケースと第２ケースをスライドさせて結合する際、係止片は主板の裏面上を滑ってどこにも引っかかることなく簡単にポケット部に挿入されるとともに、挿入後に第１の封印ピンの係止爪と係止した係止片は主板の裏面に当接状態となり、ガタのない封印状態が得られる。
【０１５３】
（７）制御基板を基板ボックスに収納した制御基板の収納構造において、
基板ボックスは互いに重ね合わせて制御基板の収納空間を形成する第１ケースと第２ケースとからなるとともに、第１ケースと第２ケースの結合状態を封印する第１封印部を備え、
該第１封印部は、
第１ケースに設けられて第１の孔を備える第１の封印部材および第２ケースに設けられて第２の孔を備える第２の封印部材と、
ヘッドと軸部を有して前記第１の孔から第２の孔にわたって挿通される樹脂製の第１の封印ピンと、
該第１の封印ピンに付設された第１の係止爪により第１の封印ピンの抜けを禁止する係止手段とを備えるとともに、
前記第１の封印部材と第２の封印部材は前記係止手段を囲んで外部から遮断する袋構造を形成し、
さらに、前記第１の封印ピンが脆弱部を備え、脆弱部の少なくとも一部に硬化樹脂が付着していることを特徴とする遊技機。
係止手段が外部から遮断されているから、係止部分へ不正にアクセスして封印を解除することはできず、やむなく、第１の封印ピンを強引に抜こうとしても、脆弱部の硬化樹脂を削り取ろうとする際に、脆弱部が硬化樹脂とともに引きちぎられてその痕跡が残るので、不正な試みが行われたことを容易に知ることができる。
そして、脆弱部に破壊の痕跡のない第１の封印ピンを得ることはできないので、破壊の痕跡のない新たな基板ボックスを作り上げることも不可能であり、高いセキュリティが得られる。
【０１５４】
なお、（７）記載の遊技機における「脆弱部」とは、少なくとも一部に硬化樹脂材が付着した部位であって硬化樹脂材を封印ピンから取り除こうとした場合に破損し易いように脆弱に形成された部位をいう。このため、脆弱部以外の部位に比較して薄肉または細幅に形成される等して設計段階において不正等の外力による破損を予定した部位であって当該部位の少なくとも一部または全体に硬化樹脂材が付着した場合における当該部位は脆弱部に含まれる。また、薄肉または細幅に形成される等して破損を予定した部位自体には硬化樹脂材が付着していない場合であっても当該部位の両側が硬化樹脂材で接続される等して硬化樹脂材を封印結合部材から取り除こうとした場合に破損し易く形成した部位を予め設けた場合における硬化樹脂材が付着した部位も脆弱部に含まれる。
また、（７）記載の遊技機における「脆弱部」を有する封印ピンを基板ボックス以外の他の部材（封印対象部材）に設定し、該封印対象部材に対して高いセキュリティが得られるようにしても良い。
【０１５５】
（８）前記脆弱部が第１の封印ピンのヘッドに設けられていることを特徴とする（７）に記載の遊技機。
（９）前記第１ケースには、前記第１の孔を囲み、前記第１の封印ピンのヘッドと間隙を設けた囲み壁が形成され、
前記硬化樹脂は前記囲み壁内に充填されていることを特徴とする（８）に記載の遊技機。
第１の封印ピンのヘッド回りに絞って有効かつ容易に硬化樹脂で覆うことができる一方、ヘッドと囲み壁の間には間隙があるので、第１の封印ピン挿入の際に脆弱部が囲み壁に接触して破損することもない。
【０１５６】
（１０）前記脆弱部は、ヘッドの基部よりも脆弱で、基部から外方へ延びる複数の突片であることを特徴とする（８）または（９）に記載の遊技機。
硬化樹脂を削り取ろうとする際に、複数の突片のいずれかが樹脂とともに確実に破損して痕跡が残る。
（１１）前記第１の封印ピンのヘッドの突片は、基部の軸方向厚さよりも薄いことを特徴とする（１０）に記載の遊技機。
突片が薄いために容易に破損して痕跡が残る。
（１２）前記第１の封印ピンのヘッドの正面形状は、特定の径方向を特徴付ける異型であり、
前記囲み壁は、前記ヘッドの正面形状に対応した形状を有することを特徴とする（１０）または（１１）に記載の遊技機。
第１の封印ピンを挿入する際、ヘッドの向きを囲み壁の形状に合わせて位置決めすることができ、挿入作業が容易である。
【０１５７】
（１３）前記第１の封印ピンのヘッドの基部は、前記軸部の軸心を中心とする半円部分と、該半円に接続する方形部分とからなる上円下方形状をなし、
前記突片は、前記半円部分においては径方向に延び、方形部分においては幅方向に張り出して延びており、
前記囲み壁は、前記突片の先端の包絡線に対応した上円下方形状をなしていることを特徴とする（１２）に記載の遊技機。
（１４）前記基部には隣接する突片の間に切欠部が設けられて、該切欠部から第１の封印部材の前記第１の孔内まで前記硬化樹脂が流入するよう構成されていることを特徴とする（１０）から（１３）のいずれか１に記載の遊技機。
第１の孔内に流入した硬化樹脂が第２の封印部材とも接着するので、接着面積が拡大する。
【０１５８】
（１５）前記基部における方形部分の軸部側裏面には凹部が形成されていることを特徴とする（１３）または（１４）に記載の遊技機。
硬化樹脂がこの凹部にも回り込んで、接着面積がさらに拡大する。ヘッドの裏面側に回り込んだ硬化樹脂は手前側から直接アクセスすることができないので、第１の封印部材や第２の封印部材を破壊しない限りは除去が極めて困難である。
（１６）前記第２の封印部材の第２の孔は前記第１の封印ピンの軸部が貫通する径を有し、
前記第１の封印部材の第１の孔は前記基部を受け入れて第２の孔より大きな径を有していることを特徴とする（７）から（１５）のいずれか１に記載の遊技機。
硬化樹脂が例えば光硬化性のものである場合には、第１の孔から第２の封印部材の第２の孔周辺に流れ込んだ硬化樹脂は、ヘッド前方からの光照射だけでも容易に硬化させることができる。
【０１５９】
（１７）前記係止手段は、第１の封印部材または第２の封印部材における第１ケースと第２ケースのスライド方向に垂直な面を横切る壁面に前記第１の係止爪を係止するものであることを特徴とする（７）から（１６）のいずれか１に記載の遊技機。
第１の係止爪が第１ケースと第２ケースの重ね合わせ面とは異なる壁面に係止するので、合わせ面から係止分部へ容易にアクセスすることができない。
【０１６０】
（１８）基板ボックスをベース部材を介して遊技機の筐体本体に設置した遊技機において、
（５）から（１７）のいずれか１に記載の基板ボックスにおける第１封印部に加えて、さらに前記ベース部材と前記基板ボックスの結合状態を封印する第２封印部を備え、
該第２封印部は、第１ケースを前側、第２ケースを後側として、
第１ケースに前後方向に設けられた第１の筒状体と、
第２ケースに設けられて前記第１の筒状体を貫通させるとともに第１ケースと第２ケースの結合状態において裏面が第１の筒状体の後端と面一となるカバー板部と、
前記ベース部材に設けられ前記カバー板部に接する前壁を含んで閉空間を形成するとともに前記前壁に係止孔を備える封止ブロック部と、
前記第１の筒状体に挿入された第２の封印ピンとからなり、
前記第１の筒状体は前側が大径、後側が小径の貫通孔を有し、
前記第２の封印ピンは第１ピンと該第１ピン内に挿入される第２ピンとからなり、
第１ピンは、第１の筒状体の貫通孔に対応させた前側が大径、後側が小径の外形を有するとともに、当該外形に対応させた貫通孔を有し、後側に第２の係止爪を有する弾性部を備えて、当該第２の係止爪が前記封止ブロック部の前壁の係止孔を貫通して前壁の裏面に係止し、
第２ピンは、第１ピンの貫通孔に対応させた前側が大径、後側が小径の外形を有し、後端に第３の係止爪を有する弾性部を備えて、当該第３の係止爪が第１ピンの後端側端面に係止することを特徴とする遊技機。
基板ボックス側から延びた第１ピンの第２の係止爪が封止ブロック部の前壁の裏面に係止するとともに、第１ピン内に第２ピンが挿入されることにより上記係止状態が保持されて、基板ボックスとベース部材が結合される。そして、第２、第３の係止爪まわりは封止ブロック部の閉空間内にあるので、外部から係止部分へ不正にアクセスして封印を解除することはできない。
また、第１の封印部が利用できない場合でも、第２ケースが第１ケースと封止ブロック部との間に挟まれるので、第２封印部の封印を解除しない限りは基板ボックスを開くこともできない。
【０１６１】
（１９）前記基板ボックスはさらに第１ケースと第２ケースの結合状態を封印する第３封印部を備え、
該第３封印部は、
第１ケースに前後方向に設けられた第２の筒状体と、
該第２の筒状体に挿入される前記第２の封印ピンと、
第２ケースに設けられて前記第２の筒状体を貫通した第２の封印ピンの先端を受容する孔を備えたキャップ状体とからなり、
前記第２の封印ピンの第１ピンの第２の係止爪が前記第２の筒状体の後端に係止し、
第２ピンの第３の係止爪が第１ピンの後端側端面に係止することを特徴とする（１８）に記載の遊技機。
第２の封印ピンが第１ケースと第２ケース間の合わせ面を横切る状態に保持されて、第１ケースと第２ケースが互いにスライドするのを阻止するから、第１封印部が利用できない場合でも、第２封印部に用いたのと同じ第２の封印ピンを用いて、第１ケースと第２ケース間の結合状態を封印保持することができ、制御基板をメーカなどへ返送する際の安全を確保することができる。
【０１６２】
（２０）前記ベース部材は基板ボックスを載置して保持する可動ベース部と、該可動ベース部をその下端を回動軸として上下に回動可能に支持する固定ベース部とからなり、
前記第１封印部、第２封印部および第３封印部は、基板ボックスの下端部に横方向に並べて設定され、
前記可動ベース部は、基板ボックスの下端面をカバーする平板部と、第１封印部の裏面側、および第２封印部と第３封印部の周辺部の裏面側をカバーする縦壁とを有する補強プレートを備え、
固定ベース部は、可動ベース部を固定ベース部にそった起立姿勢位置にしたときに、前記第２封印部と第３封印部の裏面側をカバーするカバー部材を備えることを特徴とする（１９）に記載の遊技機。
基板ボックスを可動ベース部に保持した状態において、まず各封印部が基板ボックスおよび可動ベース部の上端から遠く、しかも補強プレートの縦壁の存在も手伝って、基板ボックスと可動ベース部の上部合わせ面からドライバなどを差し込んでも各封印部の裏側へアクセスすることはできない。
また、基板ボックスが可動ベース部に載置された状態で、第１封印部、第２封印部および第３封印部はいずれも下方が補強プレートの平板部でカバーされ、後方が縦壁およびカバー部材でカバーされるので、各封印部が下方や後方からの外部力によって破壊されることをとくに困難にしている。
【０１６３】
（２１）前記（１）から（２０）の遊技機のいずれかにおいて、当該遊技機がパチンコ遊技機であることを特徴とする遊技機。なかでも、パチンコ遊技機の基本構成としては操作ハンドルを備え、その操作ハンドルの操作に応じて球を所定の遊技領域へ発射し、球が遊技領域内の所定の位置に配設された作動口に入賞（または作動口を通過）することを必要条件として、表示装置において動的表示されている識別情報が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カードへ書き込まれるデータ等も含む）が付与されるものが挙げられる。
【０１６４】
（２２）前記（１）から（２０）の遊技機のいずれかにおいて、当該遊技機がスロットマシンであることを特徴とする遊技機。なかでも、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【０１６５】
（２３）前記（１）から（２０）の遊技機のいずれかにおいて、当該遊技機がパチンコ遊技機とスロットマシンとを融合させたものであることを特徴とする遊技機。なかでも、融合させた遊技機の基本構成としては、「複数の識別情報からなる識別情報列を動的表示した後に識別情報を確定表示する可変表示手段を備え、始動用操作手段（例えば操作レバー）の操作に起因して識別情報の変動が開始され、停止用操作手段（ストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【０１６６】
前述の実施の形態においては、主基板２３が発明における制御基板に該当し、第１ボックスが第１ケースに、第２ボックスが第２ケースに該当する。
封印部材２２０が第１の封印部材に、孔２２６が第１の孔に、封印部材３２０が第２の封印部材に、孔３２７が第２の孔に、そしてブロック部の前面３２８が対向壁面に該当する。
また、封印ピン４００が第１の封印ピンに、その係止爪４０８が第１の係止爪に該当し、封印ピン４００に設けた係止爪４０８が封印部材３２０における係止片３２６に係止する構成が係止手段を形成している。そして、係止片３２６が第１ケースと第２ケースのスライド方向に垂直な面を横切る壁面に該当する。
封印ピン４００のヘッドの基部４０３から延びる突片４０４が脆弱部に該当する。
また、固定ベース部２６と可動ベース部２８を備える台座装置２５が発明におけるベース部材に該当し、筒状体２４０が第１の筒状体に、筒状体２６０が第２の筒状体に、封印ピン４３０が第２の封印ピンに該当する。そして、係止爪４４４が第２の係止爪、係止爪４５６が第３の係止爪にそれぞれ該当する。
取付フレーム部材４８がカバー部材に該当する。
【産業上の利用可能性】
【０１６７】
本発明は、制御基板を収納した基板ボックスを備える種々の遊技機のセキュリティ確保に用いてとくに有用である。
【符号の説明】
【０１６８】
１    スロットマシン
２    筐体本体
２０    主基板ユニット
２２    主制御装置
２３    主基板
２５    台座装置
２６    固定ベース部
２８    可動ベース部
３０    基板ボックス
３４    第１封印部
３６    第２封印部
３８    第３封印部
４０    底板部
４８    取付フレーム部材
５０    取付面部
８０    底板部
８２    載置部
１００    封止ブロック部
１０２    前壁
１０３    後壁
１０４    係止孔
１０５    切欠き
１１０    スリット穴
１３０    補強プレート
１３２    平板部
１３４    縦壁
２００    第１ボックス
２１５    連結固定部
２１７    囲み壁
２２０    封印部材
２２１    切欠部
２２１ａ    上壁
２２１ｂ    側壁
２２２ａ、２２２ｂ、２２２ｃ、２２２ｄ    連結部
２２５    主板
２２６    孔
２２７    囲み壁
２２８    ポケット部
２２８ａ    係止片受け部
２２９    袋部
２２９ａ    平坦面
２３０、２３１    孔
２４１    角孔部
２４２    底壁
２４３    穴
２４４    連結部
２４５    筒状体
２４６    貫通孔
２４７    大径孔
２４８    小径孔
２４９、２５０    溝
２６０    筒状体
２６１    角孔部
２６２    底壁
２６３    穴
２６４    連結部
２６６    貫通孔
２６７    大径孔
２６８    小径孔
２６９、２７０    溝
３００    第２ボックス
３０１    底板部
３０４    固定ブロック
３２０    封印部材
３２１    切欠部
３２１ａ    上壁
３２１ｂ    側壁
３２２ａ、３２２ｂ    連結部
３２５    ブロック部
３２５ａ    平坦面
３２６    係止片
３２７    孔
３２８    前面
３３４    カバー板部
３３５    切欠き
３３６    スリット
３４０    キャップ状体
３４１    矩形ブロック
３４２    前壁
３４３    穴
３４４    連結部
３４６    筒孔
３４７    大径孔
３４８    小径孔
４００    封印ピン
４０１    ヘッド
４０２    軸部
４０３    基部
４０４    突片
４０５    凹部
４０６    切欠部
４０７    弾性部
４０８    係止爪
４０９    傾斜面
４１０    係止面
４３０    封印ピン
４３２    第１ピン
４３３    大径部
４３４    小径部
４３５、４３６    キーリブ
４３８    貫通孔
４３９    大径孔
４４０    小径孔
４４１    スリット
４４３    弾性部
４４４    係止爪
４４５    傾斜面
４４６    係止面
４４７    切欠き
４５０    第２ピン
４５１    大径部
４５２    小径部
４５３    筒孔
４５４    キーリブ
４５５    弾性部
４５６    係止爪
４５７    傾斜面
４５８    係止面
Ｐ    硬化樹脂
【図１】
2010220644.tif 000003
【図２】
2010220644.tif 000004
【図３】
2010220644.tif 000005
【図４】
2010220644.tif 000006
【図５】
2010220644.tif 000007
【図６】
2010220644.tif 000008
【図７】
2010220644.tif 000009
【図８】
2010220644.tif 000010
【図９】
2010220644.tif 000011
【図１０】
2010220644.tif 000012
【図１１】
2010220644.tif 000013
【図１２】
2010220644.tif 000014
【図１３】
2010220644.tif 000015
【図１４】
2010220644.tif 000016
【図１５】
2010220644.tif 000017
【図１６】
2010220644.tif 000018
【図１７】
2010220644.tif 000019
【図１８】
2010220644.tif 000020
【図１９】
2010220644.tif 000021
【図２０】
2010220644.tif 000022
【図２１】
2010220644.tif 000023
【図２２】
2010220644.tif 000024
【図２３】
2010220644.tif 000025
【図２４】
2010220644.tif 000026
【図２５】
2010220644.tif 000027
【図２６】
2010220644.tif 000028
【図２７】
2010220644.tif 000029
【図２８】
2010220644.tif 000030